(57)【要約】  複数の異なる送信時間間隔（ＴＴＩ）持続時間を使用する通信をサポートするシステムにおける低レイテンシポイントツーマルチポイント（ＰＴＭ）通信のための技法が提供される。低レイテンシＰＴＭ通信は、短縮ＴＴＩ持続時間におけるＰＴＭ通信をサポートする１つまたは複数の物理チャネルによってサポートされ得る。いくつかの例では、基地局が、ＰＴＭトラフィックチャネルにおいて、第１のユーザ機器（ＵＥ）および第２のＵＥとのＰＴＭ送信のためにリソースの第１のセットを割り振り得、第１のＵＥへのユニキャスト送信のために（たとえば、物理ダウンリンク共有チャネル（ＰＤＳＣＨ）における）リソースの第２のセットを割り振り得る。ＰＴＭ送信は、ユニキャスト送信を送信するために使用されるＴＴＩよりも短い持続時間を用いて構成されるＴＴＩを使用して送信され得る。ＰＴＭリソースの異なるセットが、異なるＴＴＩ持続時間を有する異なるＰＴＭ送信のために割り振られ得る。
2019511869.tif 000002
【特許請求の範囲】
【請求項１】
ワイヤレス通信のための方法であって、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を備える、方法。
【請求項２】
前記第１の制御チャネル送信が、送信の前記第１のセットのためのスケジューリング情報または後続の制御チャネル送信を監視するための監視持続時間のうちの１つまたは複数を備える、請求項１に記載の方法。
【請求項３】
送信の前記第１のセットが、ワイヤレスリソースの前記第１のセットによって識別されるトラフィックチャネルを介して受信される、請求項１に記載の方法。
【請求項４】
前記トラフィックチャネルが、送信の前記第２のセットのために使用される物理ダウンリンク共有チャネル（ＰＤＳＣＨ）の一部分を備える、請求項３に記載の方法。
【請求項５】
前記第１のＴＴＩ持続時間と前記第２のＴＴＩ持続時間とを識別することは、
前記第２のＴＴＩ持続時間が無線フレームのサブフレームの持続時間に対応し、前記第１のＴＴＩ持続時間が前記サブフレームの前記持続時間の一部分に対応すると決定すること
を備える、請求項１に記載の方法。
【請求項６】
前記サブフレームの前記持続時間が、２つまたはそれ以上の直交周波数分割多重（ＯＦＤＭ）シンボル期間を備え、ここにおいて、前記第１のＴＴＩ持続時間が、前記ＯＦＤＭシンボル期間のうちの１つまたは複数に対応する、請求項５に記載の方法。
【請求項７】
前記サブフレームの前記持続時間が、前記第１のＴＴＩ持続時間を有する第１のＴＴＩのセットを備え、ここにおいて、送信の前記第１のセットが、異なるサブフレーム内の同じ第１のＴＴＩロケーションにおいて送信される、請求項６に記載の方法。
【請求項８】
前記第１のＵＥが、第１のグループ識別情報を有し、ここにおいて、送信の前記第１のセットが前記第１のＵＥによって受信されるべきであると決定することが、前記第１のグループ識別情報と送信の前記第１のセットに関連するグループインジケーションとに少なくとも部分的に基づく、請求項１に記載の方法。
【請求項９】
前記第１のグループ識別情報が、第１のブロードキャストサービスに関連し、ここにおいて、前記方法は、
第２のサービスに関連する前記第１のＵＥの第２のグループ識別情報を識別することと、
前記第２のグループ識別情報と、２つまたはそれ以上のＵＥを対象とし、前記第２のサービスに関連する送信の第３のセットに関連する第２のグループインジケーションとに少なくとも部分的に基づいて、送信の前記第３のセットが、前記第１のＵＥにおいて受信されるべきであると決定することと
をさらに備える、請求項８に記載の方法。
【請求項１０】
送信の前記第３のセットが、前記第１のＴＴＩ持続時間を使用し、ここにおいて、前記方法が、
前記第１のＴＴＩ持続時間を用いて構成されるワイヤレスリソースのセットを使用して送信の前記第３のセットを受信すること
をさらに備える、請求項９に記載の方法。
【請求項１１】
送信の前記第１のセットが、１つまたは複数のサブフレームの第１のスロットにおいて送信され、送信の前記第３のセットが、前記１つまたは複数のサブフレームの第２のスロットにおいて送信され、前記１つまたは複数のサブフレームの前記第１のスロットと、より多くのサブフレームのうちの前記１つの前記第２のスロットとが、前記第１のＴＴＩ持続時間を有する、請求項１０に記載の方法。
【請求項１２】
前記第１のＵＥにおいて、送信の前記第３のセットを受信するための第３のＴＴＩ持続時間を識別することと、
前記第３のＴＴＩ持続時間を用いて構成されるワイヤレスリソースのセットを使用して送信の前記第３のセットを受信することと
をさらに備える、請求項９に記載の方法。
【請求項１３】
前記第１の制御チャネル送信が前記第１のＴＴＩ持続時間を示す、請求項１に記載の方法。
【請求項１４】
前記第１のＴＴＩ持続時間の前記インジケーションが、送信の前記第１のセットを含むダウンリンクワイヤレスリソースのインジケーションにおいて動的に受信される、請求項１３に記載の方法。
【請求項１５】
前記第１のＴＴＩ持続時間の前記インジケーションが、送信の前記第１のセットに関連する１つまたは複数のパラメータを構成するシステム情報ブロック（ＳＩＢ）において半静的に受信される、請求項１３に記載の方法。
【請求項１６】
前記第１のＴＴＩ持続時間が、前記第１のＵＥに送信されるユニキャスト送信のセットを受信するための低レイテンシＴＴＩの持続時間と対応する、請求項１に記載の方法。
【請求項１７】
１つまたは複数の第１のＴＴＩ間欠受信（ＤＲＸ）パラメータを１つまたは複数の第２のＴＴＩ  ＤＲＸパラメータとは別々に構成すること
をさらに備える、請求項１に記載の方法。
【請求項１８】
前記構成することは、
送信の前記第１のセットが前記第１のＵＥにおいて受信されるべきであると決定されるとき、ＤＲＸを中止すること、
送信の前記第１のセットのトラフィックタイプに少なくとも部分的に基づいて、前記１つまたは複数の第１のＴＴＩ  ＤＲＸパラメータを設定すること、または
前記第２のＴＴＩ持続時間に基づいて第１のＴＴＩ  ＤＲＸ周期性またはオフセットを設定することおよび前記第１のＴＴＩ持続時間に基づいて第１のＴＴＩ  ＤＲＸオン持続時間を設定すること
のうちの１つまたは複数を備える、請求項１７に記載の方法。
【請求項１９】
ワイヤレス通信のための装置であって、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信するための手段と、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別するための手段と、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定するための手段と、
前記決定することに応答して、ワイヤレスリソースの前記第１のセットを使用して、送信の前記第１のセットを受信するための手段と、ここにおいて、ワイヤレスリソースの前記第１のセットが前記第１のＴＴＩ持続時間を用いて構成され、
を備える、装置。
【請求項２０】
前記第１の制御チャネル送信が、送信の前記第１のセットのためのスケジューリング情報または後続の制御チャネル送信を監視するための監視持続時間のうちの１つまたは複数を備える、請求項１９に記載の装置。
【請求項２１】
送信の前記第１のセットが、ワイヤレスリソースの前記第１のセットによって識別されるトラフィックチャネルを介して受信される、請求項１９に記載の装置。
【請求項２２】
前記トラフィックチャネルが、送信の前記第２のセットのために使用される物理ダウンリンク共有チャネル（ＰＤＳＣＨ）の一部分を備える、請求項２１に記載の装置。
【請求項２３】
前記第１のＴＴＩ持続時間と前記第２のＴＴＩ持続時間とを識別するための前記手段は、
前記第２のＴＴＩ持続時間が無線フレームのサブフレームの持続時間に対応し、前記第１のＴＴＩ持続時間が前記サブフレームの前記持続時間の一部分に対応すると決定するための手段
を備える、請求項１９に記載の装置。
【請求項２４】
前記第１のＵＥが、第１のグループ識別情報を有し、ここにおいて、送信の前記第１のセットが前記第１のＵＥにおいて受信されるべきであると決定するための前記手段が、前記第１のグループ識別情報と送信の前記第１のセットに関連するグループインジケーションとに少なくとも部分的に基づいて動作可能である、請求項１９に記載の装置。
【請求項２５】
前記第１のグループ識別情報が、第１のブロードキャストサービスに関連し、前記装置は、
第２のサービスに関連する前記第１のＵＥの第２のグループ識別情報を識別するための手段と、
前記第２のグループ識別情報と、２つまたはそれ以上のＵＥを対象とし、前記第２のサービスに関連する送信の第３のセットに関連する第２のグループインジケーションとに少なくとも部分的に基づいて、送信の前記第３のセットが、前記第１のＵＥにおいて受信されるべきであると決定するための手段と
をさらに備える、請求項２４に記載の装置。
【請求項２６】
前記第１の制御チャネル送信が前記第１のＴＴＩ持続時間を示す、請求項１９に記載の装置。
【請求項２７】
前記第１のＴＴＩ持続時間が、前記第１のＵＥに送信されるユニキャスト送信のセットを受信するための低レイテンシＴＴＩの持続時間と対応する、請求項１９に記載の装置。
【請求項２８】
１つまたは複数の第１のＴＴＩ間欠受信（ＤＲＸ）パラメータを１つまたは複数の第２のＴＴＩ  ＤＲＸパラメータとは別々に構成するための手段
をさらに備える、請求項１９に記載の装置。
【請求項２９】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を行わせるように動作可能である、装置。
【請求項３０】
ワイヤレス通信のためのコードを記憶する非一時的コンピュータ可読媒体であって、前記コードは、
第１のユーザ機器（ＵＥ）において、２つまたはそれ以上のＵＥを対象とする送信の第１のセットのためにワイヤレスリソースの第１のセットを割り振る第１の制御チャネル送信と、前記第１のＵＥを対象とする送信の第２のセットのためにワイヤレスリソースの第２のセットを割り振る第２の制御チャネル送信とを受信することと、
送信の前記第１のセットの受信のための第１の送信時間間隔（ＴＴＩ）持続時間と、前記第１のＵＥを対象とする送信の前記第２のセットの受信のための第２のＴＴＩ持続時間とを識別することと、ここにおいて、前記第２のＴＴＩ持続時間が前記第１のＴＴＩ持続時間よりも長く、
前記第１の制御チャネル送信の受信に少なくとも部分的に基づいて、送信の前記第１のセットが前記第１のＵＥにおいて受信されるべきであると決定することと、
前記決定することに応答して、ワイヤレスリソースの前記第１のセットを使用して、送信の前記第１のセットを受信することと、ここにおいて、ワイヤレスリソースの前記第１のセットが前記第１のＴＴＩ持続時間を用いて構成され、
を行うために実行可能な命令を備える、非一時的コンピュータ可読媒体。
【発明の詳細な説明】
【相互参照】
【０００１】
[0001]本特許出願は、各々が本出願の譲受人に譲渡された、２０１６年１１月３０日に出願された、「Low Latency Point to Multipoint Communication Techniquesと題する、Ｈｏｓｓｅｉｎｉらによる米国特許出願第１５／３６５，５３９号、および２０１６年３月１０日に出願された、「Low Latency Point to Multipoint Communication Techniques」と題する、Ｈｏｓｓｅｉｎｉらによる米国仮特許出願第６２／３０６，５８８号に対する優先権を主張する。
【背景技術】
【０００２】
[0002]以下は、一般にワイヤレス通信に関し、より詳細には、低レイテンシポイントツーマルチポイント（ＰＴＭ：point to multipoint）通信に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]ワイヤレス多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、スペクトル効率を改善し、コストを低下させ、サービスを改善し、新しいスペクトルを利用し、他のオープン規格とより良く一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用し得る。いくつかの展開では、基地局は、単一のＵＥによる受信を対象とするユニキャスト送信を送信し得、また、２つまたはそれ以上のＵＥによる受信を対象とするブロードキャスト送信またはマルチキャスト送信を送信し得る。ブロードキャスト送信またはマルチキャスト送信は、ポイントツーマルチポイント（ＰＴＭ）送信と呼ばれることもある。
【０００５】
[0005]いくつかの場合には、ワイヤレスデバイスが、低レイテンシ通信のために構成され得る。すなわち、デバイスは、システムにおいて他の送信時間間隔（ＴＴＩ）に対して持続時間がより短いＴＴＩを使用して通信し得、これは送信間の時間を低減し得る。いくつかの状況では、基地局とＵＥとの間のデータレートが、送信のレイテンシに基づいて制約され得る。送信の関係するデータトラフィックのサービス品質が高い場合など、いくつかの場合には、他のデータトラフィックに対してあるトラフィックのためにより高いデータレートを有することが望ましいことがある。さらに、いくつかの例では、基地局とＵＥとは、共有無線周波数スペクトル帯域上で競合ベース技法を使用して通信し得、複数のＵＥに送信されるより短い持続時間ＴＴＩを用いた送信が、そのようなシステムの動作を向上させ得る。
【発明の概要】
【０００６】
[0006]説明される技法は、低レイテンシポイントツーマルチポイント（ＰＴＭ）通信をサポートする、改善された方法、システム、デバイス、または装置に関する。基地局が、第１のユーザ機器（ＵＥ）および第２のＵＥとのＰＴＭ送信のためにワイヤレスリソースの第１のセットを割り振り得、第１のＵＥへのユニキャスト送信のためにワイヤレスリソースの第２のセットを割り振り得る。ＰＴＭ送信は、ユニキャスト送信に関連する第２の送信時間間隔（ＴＴＩ）持続時間よりも短い第１のＴＴＩ持続時間に関連し得る。いくつかの例では、ＰＴＭリソースの異なるセットが、異なるＴＴＩ持続時間を有する異なるＰＴＭ送信のために割り振られ得る。同様に、異なるユニキャストリソースが、異なるＴＴＩ持続時間を有する異なるユニキャスト送信のために割り振られ得る。
【０００７】
[0007]ワイヤレスリソースの割振りは、たとえば、第１のＵＥおよび第２のＵＥにおいて受信され得る、１つまたは複数の制御チャネル送信において基地局によって送信され得る。第１のＵＥおよび第２のＵＥは、１つまたは複数の制御チャネル送信を受信し、第１のＴＴＩ持続時間と第２のＴＴＩ持続時間とを識別し得る。第１のＵＥおよび第２のＵＥはまた、１つまたは複数の制御チャネル送信に少なくとも部分的に基づいて、ＰＴＭ送信が受信されるべきであるのか、ユニキャスト送信が受信されるべきであるのか、それらの組合せが受信されるべきであるのかを決定し得る。いくつかの例では、基地局は、第１のＵＥおよび第２のＵＥをグループ識別情報に割り当て得、ＰＴＭ送信は、ＰＴＭ送信が受信されるべきであるかどうかを決定するために第１のＵＥおよび第２のＵＥが使用し得る、関連するグループインジケーションを有し得る。いくつかの例では、第１のＵＥは、ユニキャスト送信を受信するべきであり、第１のＵＥは、制御チャネル送信に少なくとも部分的に基づいて、ワイヤレスリソースの第２のセットを決定し得る。
【０００８】
[0008]いくつかの例では、第１のＴＴＩ持続時間は、動的に示され得るか、または半静的に示され得る。いくつかの例では、第１のＴＴＩ持続時間を有するＴＴＩが、第２のＴＴＩ持続時間を有するＴＴＩの境界とアラインする（align）ようにまたは第２のＴＴＩ持続時間を有するＴＴＩの境界内にあるように選択され得る。いくつかの例では、ＵＥの間欠受信（ＤＲＸ）構成が、第２のＴＴＩ持続時間に関連するＤＲＸ構成とは別々に第１のＴＴＩ持続時間のために選択され得る。いくつかの例では、基地局は、送信の第１のセットに関連するデータが、送信の第２のセットに関連するデータとコンカレントにまたはそれよりも先に送信されるように、送信の第１のセットを送信の第２のセットより先に優先し得る。
【０００９】
[0009]ワイヤレス通信の方法が説明される。本方法は、第１のＵＥにおいて、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信することを含み得る。本方法は、送信の第１のセットの受信のための第１のＴＴＩ持続時間と、第１のＵＥを対象とする送信の第２のセットの受信のための第２のＴＴＩ持続時間とを識別することをさらに含み得る。第２のＴＴＩ持続時間は第１のＴＴＩ持続時間よりも長くなり得る。本方法は、第１の制御チャネル送信の受信に少なくとも部分的に基づいて、送信の第１のセットが第１のＵＥにおいて受信されるべきであると決定することと、決定することに応答して、ワイヤレスリソースの第１のセットを使用して、送信の第１のセットを受信することとをさらに含み得る。ワイヤレスリソースの第１のセットは第１のＴＴＩ持続時間を用いて構成され得る。
【００１０】
[0010]ワイヤレス通信のための装置が説明される。本装置は、第１のＵＥにおいて、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信するための手段を含み得る。本装置は、送信の第１のセットの受信のための第１のＴＴＩ持続時間と、第１のＵＥを対象とする送信の第２のセットの受信のための第２のＴＴＩ持続時間とを識別するための手段をさらに含み得る。第２のＴＴＩ持続時間は第１のＴＴＩ持続時間よりも長くなり得る。本装置は、第１の制御チャネル送信の受信に少なくとも部分的に基づいて、送信の第１のセットが第１のＵＥにおいて受信されるべきであると決定するための手段と、決定することに応答して、ワイヤレスリソースの第１のセットを使用して、送信の第１のセットを受信するための手段とをさらに含み得る。ワイヤレスリソースの第１のセットは第１のＴＴＩ持続時間を用いて構成され得る。
【００１１】
[0011]ワイヤレス通信のための別の装置が説明される。本装置は、プロセッサと、プロセッサと電子通信しているメモリと、メモリに記憶された命令とを含み得る。命令は、プロセッサによって実行されたとき、本装置に、第１のＵＥにおいて、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信することを行わせるように動作可能であり得る。命令は、送信の第１のセットの受信のための第１のＴＴＩ持続時間と、第１のＵＥを対象とする送信の第２のセットの受信のための第２のＴＴＩ持続時間とを識別することを行うようにさらに動作可能であり得る。第２のＴＴＩ持続時間は第１のＴＴＩ持続時間よりも長くなり得る。命令は、第１の制御チャネル送信の受信に少なくとも部分的に基づいて、送信の第１のセットが第１のＵＥにおいて受信されるべきであると決定することと、決定することに応答して、ワイヤレスリソースの第１のセットを使用して、送信の第１のセットを受信することとを行うようにさらに動作可能であり得る。ワイヤレスリソースの第１のセットは第１のＴＴＩ持続時間を用いて構成され得る。
【００１２】
[0012]ワイヤレス通信のための非一時的コンピュータ可読媒体が説明される。本非一時的コンピュータ可読媒体は、プロセッサに、第１のＵＥにおいて、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信することを行わせるための命令を含み得る。本非一時的コンピュータ可読媒体は、プロセッサに、送信の第１のセットの受信のための第１のＴＴＩ持続時間と、第１のＵＥを対象とする送信の第２のセットの受信のための第２のＴＴＩ持続時間とを受信する識別することを行わせるための命令をさらに含み得る。第２のＴＴＩ持続時間は第１のＴＴＩ持続時間よりも長くなり得る。本非一時的コンピュータ可読媒体は、プロセッサに、第１の制御チャネル送信の受信に少なくとも部分的に基づいて、送信の第１のセットが第１のＵＥにおいて受信されるべきであると決定することと、決定することに応答して、ワイヤレスリソースの第１のセットを使用して、送信の第１のセットを受信することとを行わせるためのさらなる命令を含み得る。ワイヤレスリソースの第１のセットは第１のＴＴＩ持続時間を用いて構成され得る。
【００１３】
[0013]方法、装置、または非一時的コンピュータ可読媒体のいくつかの例では、第１の制御チャネル送信は、送信の第１のセットのためのスケジューリング情報または後続の制御チャネル送信を監視するための監視持続時間のうちの１つまたは複数を含み得る。
【００１４】
[0014]方法、装置、または非一時的コンピュータ可読媒体のいくつかの例では、送信の第１のセットを受信することは、ワイヤレスリソースの第１のセットによって識別されるトラフィックチャネルを受信するための動作、特徴、手段、または命令を含み得る。いくつかの例では、トラフィックチャネルは、送信の第２のセットのために使用される物理ダウンリンク共有チャネル（ＰＤＳＣＨ）の一部分を含み得る。
【００１５】
[0015]方法、装置、または非一時的コンピュータ可読媒体のいくつかの例では、第１のＴＴＩ持続時間と第２のＴＴＩ持続時間とを識別することは、第２のＴＴＩ持続時間が無線フレームのサブフレームの持続時間に対応し、第１のＴＴＩ持続時間がサブフレームの持続時間の一部分に対応すると決定するための動作、特徴、手段、または命令を含み得る。いくつかの例では、サブフレームは、２つまたはそれ以上の直交周波数分割多重（ＯＦＤＭ）シンボル期間を含み得、第１のＴＴＩ持続時間は、ＯＦＤＭシンボル期間のうちの１つまたは複数に対応し得る。いくつかの例では、サブフレームは、第１のＴＴＩ持続時間を有するＴＴＩのセットを含み得、送信の第１のセットは、異なるサブフレーム内の同じ第１のＴＴＩロケーションにおいて送信され得る。
【００１６】
[0016]方法、装置、または非一時的コンピュータ可読媒体のいくつかの例では、第１のＵＥは、第１のグループ識別情報を有し得、送信の第１のセットが第１のＵＥにおいて受信されるべきであると決定することは、第１のグループ識別情報と送信の第１のセットに関連するグループインジケーションとに少なくとも部分的に基づき得る。いくつかの例では、第１のグループ識別情報は、第１のブロードキャストサービスに関連し得、方法、装置、または非一時的コンピュータ可読媒体は、第２のサービスに関連する第１のＵＥの第２のグループ識別情報を識別することと、第２のグループ識別情報と、２つまたはそれ以上のＵＥを対象とし、第２のサービスに関連する送信の第３のセットに関連する第２のグループインジケーションとに少なくとも部分的に基づいて、送信の第３のセットが、第１のＵＥにおいて受信されるべきであると決定することとを行うための動作、特徴、手段、または命令を含み得る。いくつかの例では、送信の第３のセットは、第１のＴＴＩ持続時間を使用し得、方法、装置、または非一時的コンピュータ可読媒体は、第１のＴＴＩ持続時間を用いて構成されるワイヤレスリソースのセットを使用して送信の第３のセットを受信するための動作、特徴、手段、または命令を含み得る。いくつかの例では、送信の第１のセットは、サブフレームの第１のスロットにおいて送信され得、送信の第３のセットは、サブフレームの第２のスロットにおいて送信され得る。第１のスロットおよび第２のスロットは、第１のＴＴＩ持続時間を有し得る。いくつかの例は、第１のＵＥにおいて、送信の第３のセットを受信するための第３のＴＴＩ持続時間を識別することと、第３のＴＴＩ持続時間を用いて構成されるワイヤレスリソースのセットを使用して送信の第３のセットを受信することとを行うための動作、特徴、手段、または命令を含み得る。
【００１７】
[0017]方法、装置、または非一時的コンピュータ可読媒体のいくつかの例では、第１の制御チャネル送信は第１のＴＴＩ持続時間を示し得る。いくつかの例では、第１のＴＴＩ持続時間のインジケーションは、送信の第１のセットを含むダウンリンクワイヤレスリソースのインジケーションにおいて動的に受信され得る。いくつかの例では、第１のＴＴＩ持続時間のインジケーションは、送信の第１のセットに関連する１つまたは複数のパラメータを構成するシステム情報ブロック（ＳＩＢ）において半静的に受信され得る。
【００１８】
[0018]方法、装置、または非一時的コンピュータ可読媒体のいくつかの例では、第１のＴＴＩ持続時間は、第１のＵＥに送信されるユニキャスト送信のセットを受信するための低レイテンシＴＴＩの持続時間と対応し得る。
【００１９】
[0019]方法、装置、または非一時的コンピュータ可読媒体のいくつかの例は、１つまたは複数の第１のＴＴＩ  ＤＲＸパラメータを１つまたは複数の第２のＴＴＩ  ＤＲＸパラメータとは別々に構成するための動作、特徴、手段、または命令を含み得る。いくつかの例では、１つまたは複数の第１のＴＴＩ  ＤＲＸパラメータを１つまたは複数の第２のＴＴＩ  ＤＲＸパラメータとは別々に構成することは、送信の第１のセットが第１のＵＥにおいて受信されるべきであると決定されるとき、ＤＲＸを中止すること、送信の第１のセットのトラフィックタイプに少なくとも部分的に基づいて、１つまたは複数の第１のＴＴＩ  ＤＲＸパラメータを設定すること、または第２のＴＴＩ持続時間に基づいて第１のＴＴＩ  ＤＲＸ周期性またはオフセットを設定することおよび第１のＴＴＩ持続時間に基づいて第１のＴＴＩ  ＤＲＸオン持続時間を設定することのうちの１つまたは複数のための動作、特徴、手段、または命令を含み得る。
【００２０】
[0020]方法、装置、または非一時的コンピュータ可読媒体のいくつかの例は、ユニキャスト送信が送信の第１のセットとコンカレントに（concurrently）送信されるように構成されると決定することと、送信の第１のセットがユニキャスト送信とコンカレントに第１のＵＥにおいて受信されるかどうかを決定することとを行うための動作、特徴、手段、または命令を含み得る。
【００２１】
[0021]方法、装置、または非一時的コンピュータ可読媒体のいくつかの例では、送信の第１のセットがユニキャスト送信とコンカレントに第１のＵＥにおいて受信されるかどうかを決定することは、ユニキャスト送信と送信の第１のセットとがコンカレントに受信されることをブラインド検出するための動作、特徴、手段、または命令を含み得る。いくつかの例では、ブラインド検出することは、第１のＴＴＩ持続時間を有するより多くのＴＴＩのうちの２つにわたって受信電力を比較するための動作、特徴、手段、または命令を含み得る。いくつかの例では、ブラインド検出することは、送信の第１のセットがユニキャスト送信とコンカレントに送信されるべきであるという制御チャネルインジケーションを受信するための動作、特徴、手段、または命令を含み得る。
【００２２】
[0022]方法、装置、または非一時的コンピュータ可読媒体のいくつかの例では、ユニキャスト送信は、送信の第１のセットの周りで（around）レートマッチングされ得る。いくつかの例では、送信の第１のセットは、ユニキャスト送信のためにスケジュールされるワイヤレスリソースをパンクチャするワイヤレスリソースにおいてスケジュールされ得、方法、装置、または非一時的コンピュータ可読媒体は、送信の受信された第１のセットに対して干渉消去を実行するための動作、特徴、手段、または命令を含み得る。いくつかの例では、送信の第１のセットは、ユニキャスト送信に関連する１つまたは複数の基準信号の周りでレートマッチングされ得る。
【００２３】
[0023]ワイヤレス通信の方法が説明される。本方法は、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別することを含み得る。第２のＴＴＩ持続時間は第１のＴＴＩ持続時間よりも長くなり得る。本方法は、第１のＵＥと第２のＵＥとが送信の第１のセットを受信するべきであると決定することと、第１のＴＴＩ持続時間を用いて構成されるワイヤレスリソースの第１のセットを使用して、送信の第１のセットを第１のＵＥと第２のＵＥとに送信することと、第２のＴＴＩ持続時間を用いて構成されるワイヤレスリソースの第２のセットを使用して、送信の第２のセットを送信することとをさらに含み得る。
【００２４】
[0024]ワイヤレス通信のための装置が説明される。本装置は、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別するための手段と、第１のＵＥと第２のＵＥとが送信の第１のセットを受信するべきであると決定するための手段と、第１のＴＴＩを用いて構成されるワイヤレスリソースの第１のセットを使用して、送信の第１のセットを第１のＵＥと第２のＵＥとに送信するための手段と、第２のＴＴＩを用いて構成されるワイヤレスリソースの第２のセットを使用して、送信の第２のセットを送信するための手段とを含み得る。第２のＴＴＩ持続時間は第１のＴＴＩ持続時間よりも長くなり得る。
【００２５】
[0025]別の装置が説明される。本装置は、プロセッサと、プロセッサと電子通信しているメモリと、メモリに記憶された命令とを含み得る。命令は、プロセッサによって実行されたとき、本装置に、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別することを行わせるように動作可能であり得る。第２のＴＴＩ持続時間は第１のＴＴＩ持続時間よりも長くなり得る。命令は、本装置に、第１のＵＥと第２のＵＥとが送信の第１のセットを受信するべきであると決定することと、第１のＴＴＩ持続時間を用いて構成されるワイヤレスリソースの第１のセットを使用して、送信の第１のセットを第１のＵＥと第２のＵＥとに送信することと、第２のＴＴＩ持続時間を用いて構成されるワイヤレスリソースの第２のセットを使用して、送信の第２のセットを送信することとを行わせるようにさらに動作可能であり得る。
【００２６】
[0026]ワイヤレス通信のための非一時的コンピュータ可読媒体が説明される。本非一時的コンピュータ可読媒体は、プロセッサに、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別することを行わせるための命令を含み得る。第２のＴＴＩ持続時間は第１のＴＴＩ持続時間よりも長くなり得る。本非一時的コンピュータ可読媒体は、プロセッサに、第１のＵＥと第２のＵＥとが送信の第１のセットを受信するべきであると決定することと、第１のＴＴＩ持続時間を用いて構成されるワイヤレスリソースの第１のセットを使用して、送信の第１のセットを第１のＵＥと第２のＵＥとに送信することと、第２のＴＴＩ持続時間を用いて構成されるワイヤレスリソースの第２のセットを使用して、送信の第２のセットを送信することとを行わせるための命令をさらに含み得る。
【００２７】
[0027]方法、装置、または非一時的コンピュータ可読媒体のいくつかの例は、ワイヤレスリソースの第１のセットがワイヤレスリソースの第２のセットのサブセットを含むように、送信の第１のセットのためにワイヤレスリソースの第１のセットを割り振ることと、送信の第２のセットのためにワイヤレスリソースの第２のセットを割り振ることとを行うための動作、特徴、手段、または命令を含み得る。
【００２８】
[0028]方法、装置、または非一時的コンピュータ可読媒体のいくつかの例は、第１のＵＥと第２のＵＥとに、第１の制御チャネル送信におけるワイヤレスリソースの第１のセットおよび第２の制御チャネル送信におけるワイヤレスリソースの第２のセットの割振りを送信するための動作、特徴、手段、または命令を含み得る。いくつかの例では、第１の制御チャネル送信は、送信の第１のセットのためのスケジューリング情報または後続の制御チャネル送信を監視するための監視持続時間のうちの１つまたは複数を含み得る。いくつかの例では、ワイヤレスリソースの第１のセットは、送信の第２のセットのために使用されるＰＤＳＣＨ内のトラフィックチャネルを含み得る。
【００２９】
[0029]方法、装置、または非一時的コンピュータ可読媒体のいくつかの例では、第２のＴＴＩ持続時間は無線フレームのサブフレームの持続時間に対応し得、第１のＴＴＩ持続時間はサブフレームの持続時間の一部分に対応し得る。いくつかの例では、サブフレームは、２つまたはそれ以上のＯＦＤＭシンボル期間を含み得、第１のＴＴＩ持続時間は、ＯＦＤＭシンボル期間のうちの１つまたは複数に対応し得る。いくつかの例では、サブフレームは、第１のＴＴＩ持続時間を有するＴＴＩのセットを含み得、送信の第１のセットは、異なるサブフレーム内の同じ第１のＴＴＩロケーションにおいて送信され得る。
【００３０】
[0030]方法、装置、または非一時的コンピュータ可読媒体のいくつかの例では、第１のＵＥと第２のＵＥとが送信の第１のセットを受信するべきであることを識別することは、第１のグループ識別情報を用いて第１のＵＥと第２のＵＥとを構成するための動作、特徴、手段、または命令を含み得る。いくつかの例では、第１のグループ識別情報は、第１のブロードキャストサービスに関連し得、方法、装置、または非一時的コンピュータ可読媒体は、第２のサービスに関連する第２のグループ識別情報を用いて第１のＵＥと少なくとも１つの他のＵＥとを構成することと、第２のサービスの送信の第３のセットを第１のＵＥと少なくとも１つの他のＵＥとに送信することとを行うための動作、特徴、手段、または命令を含み得る。いくつかの例では、送信の第３のセットは第１のＴＴＩ持続時間を使用し得る。いくつかの例では、送信の第１のセットは、１つまたは複数のサブフレームの第１のスロットにおいて送信され得、送信の第３のセットは、１つまたは複数のサブフレームの第２のスロットにおいて送信され得る。第１のスロットおよび第２のスロットは両方とも、第１のＴＴＩ持続時間を有し得る。いくつかの例では、送信の第３のセットは、第２のＴＴＩ持続時間よりも短い第３のＴＴＩ持続時間を使用し得る。
【００３１】
[0031]方法、装置、または非一時的コンピュータ可読媒体のいくつかの例は、第１のＴＴＩ持続時間を示す制御チャネル送信を送信するための動作、特徴、手段、または命令を含み得る。いくつかの例では、第１のＴＴＩ持続時間のインジケーションは、送信の第１のセットを含むダウンリンクワイヤレスリソースのインジケーションにおいて動的に送信され得る。いくつかの例では、第１のＴＴＩ持続時間のインジケーションは、送信の第１のセットに関連する１つまたは複数のパラメータを構成するＳＩＢにおいて半静的に送信され得る。
【００３２】
[0032]方法、装置、または非一時的コンピュータ可読媒体のいくつかの例では、第１のＴＴＩ持続時間は、第１のＵＥに送信されるユニキャスト送信のセットのための低レイテンシＴＴＩの持続時間と対応し得る。
【００３３】
[0033]方法、装置、または非一時的コンピュータ可読媒体のいくつかの例は、１つまたは複数の第１のＴＴＩ  ＤＲＸパラメータを１つまたは複数の第２のＴＴＩ  ＤＲＸパラメータとは別々に構成することと、１つまたは複数の第１のＴＴＩ  ＤＲＸパラメータと１つまたは複数の第２のＴＴＩ  ＤＲＸパラメータとを第１のＵＥと第２のＵＥとに送信することとを行うための動作、特徴、手段、または命令を含み得る。いくつかの例では、第１のＴＴＩ  ＤＲＸパラメータを第２のＴＴＩ  ＤＲＸパラメータとは別々に構成することは、送信の第１のセットが第１のＵＥにおいて受信されるべきであると決定されるとき、ＤＲＸを中止すること、送信の第１のセットのトラフィックタイプに少なくとも部分的に基づいて、１つまたは複数の第１のＴＴＩ  ＤＲＸパラメータを設定すること、または第２のＴＴＩ持続時間に基づいて第１のＴＴＩ  ＤＲＸ周期性またはオフセットを設定することおよび第１のＴＴＩ持続時間に基づいて第１のＴＴＩ  ＤＲＸオン持続時間を設定することのうちの１つまたは複数のための動作、特徴、手段、または命令を含み得る。
【００３４】
[0034]方法、装置、または非一時的コンピュータ可読媒体のいくつかの例は、ユニキャスト送信が送信の第１のセットの送信とコンカレントに送信されるべきであると決定することと、送信の第１のセットをユニキャスト送信よりも優先すること（prioritizing）とを行うための動作、特徴、手段、または命令を含み得る。いくつかの例は、送信の第１のセットがユニキャスト送信とコンカレントに送信されるというインジケーションを送信するための動作、特徴、手段、または命令を含み得る。いくつかの例は、送信の第１のセットの周りでユニキャスト送信をレートマッチングするための動作、特徴、手段、または命令を含み得る。いくつかの例は、ユニキャスト送信の１つまたは複数の基準信号の周りで送信の第１のセットをレートマッチングするための動作、特徴、手段、または命令を含み得る。
【００３５】
[0035]上記は、以下の詳細な説明がより良く理解され得るように、本開示による例の特徴および技術的利点についてかなり広く概説した。追加の特徴および利点が以下で説明される。開示される概念および具体例は、本開示の同じ目的を実行するための他の構造を修正または設計するための基礎として容易に利用され得る。そのような等価な構成は、添付の特許請求の範囲の趣旨および範囲から逸脱しない。本明細書で開示される概念を特徴づけると考えられる特徴は、それらの編成と動作方法の両方に関して、関連する利点とともに、添付の図に関連して以下の説明を検討するとより良く理解されよう。図の各々は、例示および説明のみの目的で与えられるものであり、特許請求の範囲の制限の定義として与えられるものではない。
【００３６】
[0036]本発明の性質および利点のさらなる理解は、以下の図面を参照することによって実現され得る。添付の図では、同様のコンポーネントまたは機能は同じ参照ラベルを有し得る。さらに、同じタイプの様々なコンポーネントは、参照ラベルの後に、ダッシュと、それらの同様のコンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちのいずれにも適用可能である。
【図面の簡単な説明】
【００３７】
【図１】[0037]本開示の態様による、低レイテンシＰＴＭ通信をサポートするワイヤレス通信システムの一例を示す図。
【図２】[0038]本開示の態様による、低レイテンシＰＴＭ通信をサポートするワイヤレス通信システムの一例を示す図。
【図３】[0039]本開示の態様による、低レイテンシＰＴＭ送信をサポートする複数のＴＴＩ持続時間を含むワイヤレスリソースの一例を示す図。
【図４】[0040]本開示の態様による、低レイテンシＰＴＭ通信をサポートする、アラインされたユニキャストおよびＰＴＭ  ＴＴＩ持続時間を用いるワイヤレスリソースの一例を示す図。
【図５Ａ】[0041]本開示の態様による、低レイテンシユニキャスト送信が低レイテンシＰＴＭ送信より前に開始し得る、ワイヤレスリソースの一例を示す図。
【図５Ｂ】[0042]本開示の態様による、低レイテンシＰＴＭ送信が低レイテンシユニキャスト送信より前に開始し得る、ワイヤレスリソースの一例を示す図。
【図６】[0043]本開示の態様による、低レイテンシＰＴＭ通信をサポートするプロセスフローの一例を示す図。
【図７】[0044]本開示の態様による、低レイテンシＰＴＭ通信をサポートするワイヤレスデバイスのブロック図。
【図８】本開示の態様による、低レイテンシＰＴＭ通信をサポートするワイヤレスデバイスのブロック図。
【図９】[0045]本開示の態様による、ＵＥ低レイテンシ通信マネージャのブロック図。
【図１０】[0046]本開示の態様による、低レイテンシＰＴＭ通信をサポートするＵＥを含むシステムの図。
【図１１】[0047]本開示の態様による、低レイテンシＰＴＭ通信をサポートするワイヤレスデバイスのブロック図。
【図１２】本開示の態様による、低レイテンシＰＴＭ通信をサポートするワイヤレスデバイスのブロック図。
【図１３】[0048]本開示の態様による、低レイテンシＰＴＭ通信をサポートする基地局低レイテンシ通信マネージャのブロック図。
【図１４】[0049]本開示の態様による、低レイテンシＰＴＭ通信をサポートする基地局を含むシステムの図。
【図１５】[0050]本開示の態様による、低レイテンシＰＴＭ通信のための方法を示すフローチャート。
【図１６】本開示の態様による、低レイテンシＰＴＭ通信のための方法を示すフローチャート。
【図１７】本開示の態様による、低レイテンシＰＴＭ通信のための方法を示すフローチャート。
【図１８】本開示の態様による、低レイテンシＰＴＭ通信のための方法を示すフローチャート。
【図１９】本開示の態様による、低レイテンシＰＴＭ通信のための方法を示すフローチャート。
【図２０】本開示の態様による、低レイテンシＰＴＭ通信のための方法を示すフローチャート。
【図２１】本開示の態様による、低レイテンシＰＴＭ通信のための方法を示すフローチャート。
【図２２】本開示の態様による、低レイテンシＰＴＭ通信のための方法を示すフローチャート。
【図２３】本開示の態様による、低レイテンシＰＴＭ通信のための方法を示すフローチャート。
【詳細な説明】
【００３８】
[0051]本開示の様々な態様は、複数の異なる送信時間間隔（ＴＴＩ）持続時間を使用する通信をサポートするシステムにおけるポイントツーマルチポイント（ＰＴＭ）通信のための技法を提供する。いくつかの例では、システムにおける他の送信に対して短縮または低減持続時間ＴＴＩを使用する低レイテンシＰＴＭ通信が与えられ得る。低レイテンシＰＴＭ通信は、短縮ＴＴＩ持続時間による（たとえば、短縮ＴＴＩ（ｓＴＴＩ：shortened TTI）を使用する）ＰＴＭ通信をサポートする１つまたは複数の物理チャネルによってサポートされ得る。いくつかの例では、基地局が、ＰＴＭトラフィックチャネルにおいて、第１のユーザ機器（ＵＥ）および第２のＵＥとのＰＴＭ送信のためにワイヤレスリソースの第１のセットを割り振り得、第１のＵＥへのユニキャスト送信のために（たとえば、物理ダウンリンク共有チャネル（ＰＤＳＣＨ）における）ワイヤレスリソースの第２のセットを割り振り得る。ＰＴＭ送信は、ユニキャスト送信の第２の送信時間間隔（ＴＴＩ）よりも短い第１のＴＴＩを有し得る。いくつかの例では、ＰＴＭリソースの異なるセットが、異なるＴＴＩ持続時間を有する異なるＰＴＭ送信のために割り振られ得る。同様に、異なるユニキャストリソースが、異なるＴＴＩ持続時間を有する異なるユニキャスト送信のために割り振られ得る。
【００３９】
[0052]ワイヤレスリソースの割振りは、第１のＵＥおよび第２のＵＥにおいて受信され得る、（たとえば、ＰＴＭ制御チャネルにおける）１つまたは複数の制御チャネル送信において基地局によって送信され得る。第１のＵＥおよび第２のＵＥは、制御チャネル送信を受信し、第１のＴＴＩ持続時間と第２のＴＴＩ持続時間とを識別し得る。第１のＵＥおよび第２のＵＥはまた、ＰＴＭ制御チャネル送信および／または１つまたは複数の他の制御チャネル送信（たとえば、ユニキャスト送信に関連する物理ダウンリンク制御チャネル（ＰＤＣＣＨ）送信）に少なくとも部分的に基づいて、ＰＴＭ送信が受信されるべきであるのか、ユニキャスト送信が受信されるべきであるのか、それらの組合せが受信されるべきであるのかを決定し得る。いくつかの例では、基地局は、第１のＵＥおよび第２のＵＥをグループ識別情報に割り当て得、ＰＴＭ送信は、ＰＴＭ送信が受信されるべきであるかどうかを決定するために第１のＵＥおよび第２のＵＥが使用し得る、関連するグループインジケーションを有し得る。いくつかの例では、第１のＵＥは、ユニキャスト送信を受信するべきであり、第１のＵＥは、ワイヤレスリソースの第２のセットが制御チャネル送信に少なくとも部分的に基づくと決定し得る。
【００４０】
[0053]いくつかの例では、第１のＴＴＩ持続時間は、動的に示され得るか、または半静的に示され得る。いくつかの例では、第１のＴＴＩ持続時間は、第２のＴＴＩ持続時間の境界とアラインするようにまたは第２のＴＴＩ持続時間の境界内にあるように選択され得る。いくつかの例では、ＵＥの間欠受信（ＤＲＸ）構成が、第２のＴＴＩ持続時間に関連するＤＲＸ構成とは別々に第１のＴＴＩ持続時間のために選択され得る。いくつかの例では、基地局は、送信の第１のセットに関連するデータが、送信の第２のセットに関連するデータとコンカレントにまたはそれよりも先に送信されるように、送信の第１のセットを送信の第２のセットより先に優先し得る。
【００４１】
[0054]そのような低レイテンシＰＴＭ送信は、いくつかの例では、レイテンシ低減、複数の受信ＵＥへのコンカレントデータ送信、またはそれらの組合せを通してなど、向上されたシステム性能を与え得る。低減されたレイテンシは、必要に応じて、送信の受信と、成功したまたは成功しなかった受信の確認応答と、関連する再送信とに関連する低減された時間を通して、向上された動作を与え得る。ＵＥの特定のグループが、たとえば、車両通信システム、ゲーム適用例、または比較的遅延に耐えられない他の実装形態など、レイテンシ敏感適用例に関連し得る。データがＵＥのグループに送信されるべきである場合、低レイテンシＰＴＭ送信は、データがＵＥのグループに効率的な様式で送信されることを可能にし得る。
【００４２】
[0055]さらに、いくつかの例では、ＵＥと基地局とは、共有無線周波数スペクトル帯域中での競合ベース通信を使用して通信し得る。そのような例におけるＰＴＭ送信は、ＵＥのセット中の各ＵＥへの別々の送信を求める共有無線周波数スペクトル帯域の競合に別々に勝つ必要なしに、基地局がＵＥのセットにデータを送信することを可能にし得る。専用無線周波数スペクトル帯域または共有無線周波数スペクトル帯域のいずれかにおけるＰＴＭ送信は、特定の基地局によって送信され得、シングルセルポイントツーマルチポイント（ＳＣ−ＰＴＭ）通信と呼ばれることがある。いくつかの例では、低レイテンシＳＣ−ＰＴＭ通信は、超低レイテンシＳＣ−ＰＴＭ（ｕＳＣ−ＰＴＭ）通信または短縮ＴＴＩ  ＳＣ−ＰＴＭ（ｓＳＣ−ＰＴＭ）通信と呼ばれることがある。
【００４３】
[0056]上記で紹介された本開示の態様は、ワイヤレス通信システムのコンテキストにおいて以下で説明される。そのようなワイヤレス通信システムは、本明細書で説明される低レイテンシ適用例およびＰＴＭ動作をサポートする基地局およびＵＥを含み得る。本開示の態様は、低レイテンシポイントツーマルチポイント通信に関する装置図、システム図、およびフローチャートによってさらに示され、それらを参照しながら説明される。
【００４４】
[0057]図１は、本開示の態様による、低レイテンシＰＴＭ通信をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワークおよび／またはＬＴＥアドバンスト（ＬＴＥ−Ａ）ネットワークであり得る。ワイヤレス通信システム１００は、本開示で説明されるように、低レイテンシ適用例、複数のＴＴＩ持続時間による動作、およびポイントツーマルチポイント（ＰＴＭ）動作をサポートし得る。いくつかの例では、ＰＴＭ動作は、他の低レイテンシ適用例と同様の様式で短縮ＴＴＩを使用し得る。
【００４５】
[0058]基地局１０５は、少なくとも１つの基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００４６】
[0059]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、ワイヤレス通信デバイス、パーソナルコンピュータ（たとえば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダー、モノのインターネット（ＩｏＴ）デバイス、あらゆるモノのインターネット（ＩｏＥ）デバイス、マシンタイプ通信（ＭＴＣ）デバイス、機器、自動車などであり得る。ＵＥ１１５は、マクロｅＮＢ、スモールセルｅＮＢ、リレー基地局などを含む、様々なタイプのネットワークアクセスデバイスおよびネットワーク機器と通信することが可能であり得る。ＵＥはまた、セルラー無線アクセス技術（ＲＡＴ）（たとえば、ＬＴＥ／ＬＴＥ−Ａ  ＲＡＴ）、Ｗｉ−Ｆｉ（登録商標）  ＲＡＴ、または他のＲＡＴなど、異なるＲＡＴを使用して通信することが可能であり得る。
【００４７】
[0060]基地局１０５は、コアネットワーク１３０および互いと通信し得る。たとえば、基地局１０５は、バックホールリンク１３２（たとえば、Ｓ１）を通してコアネットワーク１３０とインターフェースし得る。基地局１０５は、直接または間接的にのいずれかで（たとえば、コアネットワーク１３０を通して）バックホールリンク１３４（たとえば、Ｘ２）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。
【００４８】
[0061]ワイヤレス通信システム１００内のデータ通信は、論理チャネル、トランスポートチャネル、および物理（ＰＨＹ）レイヤチャネルに分割され、およびそれらを参照しながら説明され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのための専用トラフィックチャネル（ＤＴＣＨ）と、マルチキャストデータのためのマルチキャストトラフィックチャネル（ＭＴＣＨ）とを含み得る。
【００４９】
[0062]ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ）と、データのためのアップリンク共有チャネル（ＵＬ−ＳＣＨ）とを含み得る。
【００５０】
[0063]ＤＬ  ＰＨＹチャネルは、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。
【００５１】
[0064]いくつかの例では、基地局１０５と複数のＵＥ１１５との間のＰＴＭ通信は、短縮ＴＴＩ持続時間におけるＰＴＭ通信をサポートする、シングルセルマルチキャスト制御チャネル（ＳＣ−ＭＣＣＨ）またはシングルセルマルチキャストトラフィックチャネル（ＳＣ−ＭＴＣＨ）など、１つまたは複数の物理チャネルによってサポートされ得る低レイテンシＰＴＭ通信を使用し得る。いくつかの例では、ＳＣ−ＭＣＣＨおよびＳＣ−ＭＴＣＨは、ＰＤＳＣＨリソースにマッピングされ得る。ＵＬ  ＰＨＹチャネルは、アクセスメッセージのための物理ランダムアクセスチャネル（ＰＲＡＣＨ）、制御データのための物理アップリンク制御チャネル（ＰＵＣＣＨ）、およびユーザデータのための物理アップリンク共有チャネル（ＰＵＳＣＨ）を含み得る。
【００５２】
[0065]ＰＤＣＣＨは、少なくとも１つの制御チャネル要素（ＣＣＥ）中でダウンリンク制御情報（ＤＣＩ）を搬送する。ＤＣＩは、ＤＬスケジューリング割当て、ＵＬリソース許可、送信方式、ＵＬ電力制御、ハイブリッド自動再送要求（ＨＡＲＱ）情報、変調およびコーディング方式（ＭＣＳ）に関する情報、ならびに他の情報を含む。ＤＣＩメッセージのサイズおよびフォーマットは、ＤＣＩによって搬送される情報のタイプおよび量に応じて異なることがある。
【００５３】
[0066]ＰＤＣＣＨは複数のユーザに関連するＤＣＩメッセージを搬送することができ、各ＵＥ１１５は、それを対象とするＤＣＩメッセージを復号し得る。たとえば、各ＵＥ１１５は、セル無線ネットワーク一時識別子（Ｃ−ＲＮＴＩ：cell radio network temporary identifier）を割り当てられ得、各ＤＣＩにアタッチされた巡回冗長検査（ＣＲＣ）ビットが、Ｃ−ＲＮＴＩに基づいてスクランブルされ得る。ＵＥにおける電力消費およびオーバーヘッドを低減するために、ＣＣＥロケーションの限られたセットが、特定のＵＥ１１５に関連するＤＣＩのために指定され得る。ＣＣＥは（たとえば、１つ、２つ、４つおよび８つのＣＣＥのグループに）グループ化され得、ＵＥが、関係するＤＣＩを発見し得る、ＣＣＥロケーションのセットが指定され得る。ＵＥ１１５は、ブラインド復号として知られるプロセスを実行することによってＤＣＩを復号することを試み得る。マルチＴＴＩスケジューリング（たとえば、マルチＴＴＩ許可）がＰＤＣＣＨを使用して送信され得、そのようなスケジューリングはＵＥ固有であり得る。いくつかの場合には、低レイテンシＴＴＩの制御部分は、マルチＴＴＩ許可または個々のＴＴＩ許可を含み得る、低レイテンシＰＤＣＣＨ（たとえば、短縮ＴＴＩ  ＰＤＣＣＨ（ｓＰＤＣＣＨ）または超低レイテンシＰＤＣＣＨ（ｕＰＤＣＣＨ））を含み得る。
【００５４】
[0067]ワイヤレス通信システム１００内の通信のための時間間隔は、基本時間単位（たとえば、サンプリング期間、Ｔｓ＝１／３０，７２０，０００秒）の倍数単位で表され得る。時間リソースは、０から１０２３にわたるシステムフレーム番号（ＳＦＮ）によって識別され得る１０ミリ秒の持続時間の無線フレーム（Ｔｆ＝３０７２００＊Ｔｓ）に従って編成され得る。各フレームは、各々が１ミリ秒の持続時間を有する、０から９までの番号を付けられた１０個のサブフレームを含み得る。サブフレームは、その各々が（各シンボルにプリペンドされた（prepended）サイクリックプレフィックス（ＣＰ）の持続時間に応じて）２つまたはそれ以上の変調シンボル期間を含んでいる、２つの０．５ミリ秒スロットにさらに分割され得る。ＣＰを除いて、各シンボルは２０４８個のサンプル期間を含んでいる。いくつかの場合には、サブフレームは、最も小さいスケジューリング単位であり得、ここで、最も小さいスケジューリング単位は、ＴＴＩと呼ばれることもある。しかし、ワイヤレス通信システム１００は、低レイテンシＴＴＩと呼ばれることがある、１つのサブフレームの持続時間ならびにより短い持続時間を有するＴＴＩをサポートし得、これは、１つのＬＴＥサブフレームよりも小さい持続時間（たとえば、１つのシンボル期間、２つのシンボル期間、１つのスロットなど）を有し得る。様々な例では、ワイヤレス通信システム１００は、持続時間が少なくとも２つのＬＴＥシンボル期間である第１の持続時間と、第１の持続時間よりも小さい第２の持続時間とを含む、２つまたはそれ以上のＴＴＩ持続時間をサポートし得る。
【００５５】
[0068]ワイヤレス通信システム１００内で、短い持続時間ＴＴＩは、持続時間が固定であり得、単一のトランスポートブロック（ＴＢ）に対応する持続時間を有し得る。ＴＢは、通信システムの論理レイヤ間で受け渡されるデータのユニットを指すことがある。たとえば、ＴＢは、媒体アクセス制御（ＭＡＣ）レイヤとＰＨＹレイヤとの間で受け渡されるデータのユニットを指すことがあり、通信システムの様々な論理レイヤ（たとえば、ＲＬＣ、ＭＡＣなど）のためのデータおよびヘッダ情報を含み得る。例として、ＴＢは、１つの低レイテンシＴＴＩの持続時間にわたり得る。したがって、スケジュールされるＴＢの数の決定は、スケジュールされる低レイテンシＴＴＩの数を示し得る。
【００５６】
[0069]基地局１０５は、ＵＥ１１５の、チャネル推定およびコヒーレント復調、ならびに、したがって、ワイヤレス通信システム１００との通信を助けるために、セル固有基準信号（ＣＲＳ）などの周期パイロットシンボルを挿入し得る。ＣＲＳは、たとえば、５０４個の異なるセル識別情報のうちの１つを含み得る。ＣＲＳは、それらを雑音および干渉に対して耐性がある（resilient）ようにするために、４位相シフトキーイング（ＱＰＳＫ）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック（ＲＢ）中の４〜１６個のリソース要素（ＲＥ）中に埋め込まれ得る。基地局１０５の地理的カバレージエリア１１０中のすべてのＵＥ１１５によって利用され得るＣＲＳに加えて、復調基準信号（ＤＭＲＳ）は、特定のＵＥ１１５を対象とし得、そのＵＥ１１５に割り当てられたＲＢ上で送信され得る。低レイテンシＴＴＩパラメータの決定は、ＣＲＳがシンボル中に存在するかどうかに基づき得るか、またはそれに依存し得る。
【００５７】
[0070]ワイヤレス通信システム１００は、データがワイヤレス通信リンク１２５上で正しく受信される可能性を増加させる方法である、ＨＡＲＱを採用し得る。ＨＡＲＱは、（たとえば、ＣＲＣを使用する）誤り検出と、前方誤り訂正（ＦＥＣ）と、再送信（たとえば、自動再送要求（ＡＲＱ））との組合せを含み得る。ＨＡＲＱは、不良な無線状態（たとえば、不良な信号対雑音状態）でのＭＡＣレイヤにおけるスループットを改善し得る。インクリメンタル冗長ＨＡＲＱでは、不正確に受信されたデータは、データを正常に復号することの全体的尤度（likelihood）を改善するために、バッファに記憶され、後続の送信と組み合わせられ得る。いくつかの場合には、冗長ビットが、送信より前に各メッセージに追加される。これは、不良な状態において有用であり得る。他の場合には、冗長ビットは、各送信に追加されないが、元のメッセージの送信機が、情報を復号する試みの失敗を示す否定応答（ＮＡＣＫ）を受信した後に再送信される。送信、応答、および再送信のチェーンは、ＨＡＲＱプロセスと呼ばれることがある。いくつかの場合には、限られた数のＨＡＲＱプロセスが所与の通信リンク１２５のために使用され得る。
【００５８】
[0071]いくつかの例では、ＨＡＲＱプロセスは、トランスポートブロックレベルにおいて実行され得、それにおいて、ＮＡＣＫが送信機によって受信されたとき、トランスポートブロック全体が再送信される。マルチＴＴＩ割当てでは、新しいデータのための別々のインジケータが、割当てにおいて各ＴＢのために使用され得る。または、いくつかの例では、単一の新しいデータインジケータが、割当てのすべてのＴＢのために使用され得る。他の場合には、いくつかの例では、再送信が個々の割当てに限定され得るように、マルチＴＴＩスケジューリングが新しい送信のためだけに使用され得る。
【００５９】
[0072]いくつかの例では、トランスポートブロックは、１つまたは複数のコードブロックに分割され得、ＨＡＲＱプロセスは、コードブロックレベルにおいて実行され得、ここで、ＮＡＣＫが送信機によって受信されるとき、１つまたは複数のコードブロック（たとえば、受信機による復号に成功しなかった１つまたは複数のコードブロック）が再送信される。低レイテンシＴＴＩのためのコードブロックレベルＨＡＲＱプロセスのためのしきい値が、より長い持続時間ＴＴＩとは異なり得る（たとえば、それは、ＬＴＥにおけるような、６１４４ビットとは異なり得る）。
【００６０】
[0073]いくつかの場合には、ワイヤレス通信システム１００は、１つまたは複数の拡張コンポーネントキャリア（ｅＣＣ：enhanced component carrier）を利用し得る。ｅＣＣは、フレキシブル帯域幅と、異なるＴＴＩ持続時間と、変更制御チャネル構成とを含む、１つまたは複数の特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者（operator）が、競合ベースアクセス技法に従ってスペクトルを使用し得る場合）無認可スペクトルまたは共有スペクトル中で使用するために構成され得る。フレキシブル帯域幅によって特徴づけられるｅＣＣは、全帯域幅を監視することが可能でないか、または（たとえば、電力を節約するために）限られた帯域幅を使用することを選好することがあるＵＥ１１５によって利用され得る１つまたは複数のセグメントを含み得る。
【００６１】
[0074]いくつかの場合には、ｅＣＣは、他のＣＣとは異なるＴＴＩ持続時間を利用し得、これは、他のＣＣのＴＴＩ持続時間と比較して低減または可変シンボル期間の使用を含み得る。いくつかの場合には、ＰＴＭ送信は、低減または可変シンボル期間ＴＴＩを利用し得る。いくつかの場合には、シンボル期間は同じままであり得るが、各シンボル期間は別個のＴＴＩを表し得る。いくつかの例では、ｅＣＣは、異なるＴＴＩ持続時間を使用する送信をサポートし得、ｅＣＣのより短い持続時間ＴＴＩのパラメータが、ワイヤレス通信システム１００内のより長い持続時間ＴＴＩのリソースに関して決定され得る。
【００６２】
[0075]図２は、本開示の態様による、低レイテンシＰＴＭ通信をサポートするワイヤレス通信システム２００の一例を示す。ワイヤレス通信システム２００は、図１を参照しながら説明された対応するデバイスの例であり得る、基地局１０５−ａと第１のＵＥ１１５−ａと第２のＵＥ１１５−ｂとを含み得る。基地局１０５−ａは、通信リンク２０５−ａを介してＵＥ１１５−ａと通信し、通信リンク２０５−ｂを介してＵＥ１１５−ｂと通信し得る。
【００６３】
[0076]上記で説明されたように、物理リソースを編成するためにワイヤレス通信システム２００内でフレーム構造が使用され得る。フレームは、たとえば、１０ミリ秒の持続時間であり得、それは、１０個の等しいサイズのサブフレームまたはＴＴＩにさらに分割され得る。各サブフレームは、２つの連続するタイムスロットを含み得る。各スロットは、６つまたは７つのＯＦＤＭＡシンボル期間を含み得る。リソース要素（ＲＥ）は、時間領域中の１つのシンボル期間および周波数領域中の１つのサブキャリア（たとえば、１５ＫＨｚ周波数範囲）にわたり得る。リソースブロック（ＲＢ）は、周波数領域中に１２個の連続するサブキャリアを含んでおり、各ＯＦＤＭシンボル中のノーマルサイクリックプレフィックスについて、時間領域中の１つのスロット中に７つの連続するＯＦＤＭシンボル期間（８４個のリソース要素）を含んでいることがある。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。ワイヤレス通信システム２００によって利用され得るＴＴＩおよびＴＴＩ持続時間のさらなる詳細が、図３〜図５によって示され、およびそれらを参照しながら説明される。
【００６４】
[0077]いくつかの場合には、通信リンク２０５−ａは、ＬＴＥサブフレームに対応し得る固定持続時間ＴＴＩ２１０−ａを含み得、低レイテンシＰＴＭ送信２１５を含み得る。同様に、通信リンク２０５−ｂは、ＬＴＥサブフレームにも対応し得る固定持続時間ＴＴＩ２１０−ｂを含み得、低レイテンシＰＴＭ送信２１５をも含み得る。低レイテンシＰＴＭ送信２１５のＴＴＩは、固定持続時間ＴＴＩ２１０−ａまたは固定持続時間ＴＴＩ２１０−ｂよりも短い持続時間を有し得る。低レイテンシＰＴＭ送信２１５のＴＴＩ持続時間は、たとえば、シングルスロットの持続時間、２つのＯＦＤＭシンボル期間の持続時間、または単一のＯＦＤＭシンボル期間の持続時間であり得る。いくつかの例では、低レイテンシＰＴＭ送信２１５は、２つまたはそれ以上の異なるサービスのＰＴＭ送信を含み得、各サービスは異なるＴＴＩ持続時間を有し得る。いくつかの場合には、低レイテンシＰＴＭ送信２１５のＴＴＩ持続時間は、動的に選択され、ＵＥ１１５に示され得、それは、次いで、スケジュールされるＴＴＩの数を見分け得る。いくつかの例では、通信リンク２０５は、低レイテンシＴＴＩを使用する１つまたは複数のユニキャスト送信をも含み得る。
【００６５】
[0078]短縮ＴＴＩ持続時間を有する低レイテンシＰＴＭ送信２１５は、たとえば、レイテンシセンシティブサービスのために採用され得る。いくつかの場合には、より短い持続時間ＴＴＩを使用することは、オーバージエアレイテンシを低減し得る。たとえば、（たとえば、ＯＦＤＭシンボル期間、２つのＯＦＤＭシンボル期間、１つのスロットなどの程度（order）の）低レイテンシＰＴＭ送信２１５のより短い持続時間ＴＴＩが、非低レイテンシＴＴＩ（たとえば、ＬＴＥサブフレーム）と比較してＨＡＲＱレイテンシを低減するのを助け得る。
【００６６】
[0079]いくつかの場合には、低レイテンシＰＴＭ送信２１５のためのＴＴＩ持続時間（たとえば、ＴＴＩ内のシンボル期間の数）が、異なるデータサービスのために動的に示され得る。たとえば、低レイテンシ制御チャネルは、ＴＴＩのシンボル期間の数を変化させること（たとえば、ＴＴＩ持続時間を変化させること）によって、各ＰＴＭサービスのためにワイヤレスリソースをスケジュールし得る。いくつかのシナリオでは、動的ＴＴＩ持続時間インジケーションがワイヤレス通信システム２００において採用され得、他のシナリオでは、マルチＴＴＩスケジューリング（たとえば、半永続的様式で、複数の、固定持続時間低レイテンシＴＴＩをスケジュールすること）が採用され得る。
【００６７】
[0080]いくつかの例では、低レイテンシＰＴＭ送信２１５は、シングルセル中のＰＤＳＣＨを通して、同等の（identical）コンテンツを第１のＵＥ１１５−ａと第２のＵＥ１１５−ｂと（または１つまたは複数の他のＵＥ）にマルチキャストし得、シングルセルマルチキャスト制御チャネル（ＳＣ−ＭＣＣＨ）およびシングルセルマルチキャストトラフィックチャネル（ＳＣ−ＭＴＣＨ）を使用し得る。いくつかの場合には、ＳＣ−ＭＣＣＨおよびＳＣ−ＭＴＣＨは、ダウンリンク共有チャネルにマッピングされ、ＰＤＳＣＨリソースを使用し得る。ＳＣ−ＭＣＣＨ送信およびＳＣ−ＭＴＣＨ送信は、各々、ＳＣ−ＭＣＣＨのためのシングルセルＲＮＴＩ（ＳＣ−ＲＮＴＩ）およびＳＣ−ＭＴＣＨのためのグループＲＮＴＩ（Ｇ−ＲＮＴＩ）など、特定の無線ネットワーク一時識別子（ＲＮＴＩ）によって、物理ダウンリンク制御チャネル（ＰＤＣＣＨ）中で示され得る。
【００６８】
[0081]いくつかの例では、時間領域中で、ワイヤレスリソースを示し得るシステム情報ブロック（ＳＩＢ）が、基地局によって送信され得（たとえば、ＰＢＣＨ送信上のＳＩＢ２０）、ここで、ＳＣ−ＭＣＣＨは、見つけられ、いくつかの例では、ＳＣ−ＭＣＣＨ変更期間、ＳＣ−ＭＣＣＨ繰返し期間、およびＳＣ−ＭＣＣＨサブフレームオフセットのインジケーションを含み得る。そのようなＳＩＢはまた、低レイテンシＰＴＭ上でサポートされるべきマルチキャストサービスのリストなど、ＭＣＣＨ構成情報を含み得る。マルチキャストサービスの各々について、ＳＩＢは、一時モバイルグループ識別情報（ＴＭＧＩ）および随意のセッションＩＤと、グループＲＮＴＩ（Ｇ−ＲＮＴＩ）と、関連するＰＴＭ送信のための送信モード（たとえば、ＴＭ１またはＴＭ２）とを含み得る。ＳＣ−ＲＮＴＩは、いくつかの例では、ＳＣ−ＭＣＣＨのためのスケジューリング情報を伝達するＰＤＣＣＨを識別するために使用され得る。
【００６９】
[0082]各ＳＣ−ＭＴＣＨについて（たとえば、各マルチキャストサービスについて）、関連するＳＣ−ＭＣＣＨが、長さおよび開始オフセットによって定義され得るＳＣ−ＭＴＣＨスケジューリングサイクルと、ＵＥ１１５が、ＳＣ−ＰＴＭスケジューリングＤＲＸから起動した後にＰＤＣＣＨを受信するために待つ、固定持続時間ＴＴＩの倍数に関して第１の持続時間として定義され得るＳＣ−ＭＴＣＨオン持続時間と（ＵＥが、このＳＣ−ＭＴＣＨに割り振られたワイヤレスリソースを示すＰＤＣＣＨを正常に復号する場合、ＵＥは、起動している（awake）ままであり、非アクティビティタイマーを開始する）、ＵＥが、別のＰＤＣＣＨを正常に復号するために、ＰＤＣＣＨを正常に復号した後に待ち、ＵＥが、第２の持続時間内に復号が完了されない場合、ＤＲＸモードに入る、固定持続時間ＴＴＩに関して第２の持続時間として定義されるＳＣ−ＭＴＣＨ非アクティビティタイマーとを識別し得る。いくつかの例では、低レイテンシＰＴＭ送信のためのＤＲＸモードおよびタイミングが、固定持続時間ＴＴＩまたは他のユニキャスト送信に関連するＤＲＸモードから独立している。
【００７０】
[0083]したがって、ＵＥ１１５は、いくつかの例では、（たとえば、ＳＩＢ２０送信を介して）システム情報を復号し、いくつかの識別されたサブフレーム中の時間領域上でＳＣ−ＭＣＣＨの存在に関する情報を識別し得る。識別されたサブフレームでは、ＰＤＣＣＨ上でＳＣ−ＲＮＴＩを使用して、ＵＥ１１５は、受信されるべきマルチキャストサービスのためのＳＣ−ＭＣＣＨのＲＢ割振りを取得し得、関連するＴＭＧＩ、Ｇ−ＲＮＴＩ、ＳＣ−ＰＴＭスケジューリングＤＲＸ、および隣接するセル情報を識別し得る。識別されたＧ−ＲＮＴＩを使用して、ＳＣ−ＰＴＭスケジューリングＤＲＸによって示されるサブフレームのＰＤＣＣＨ上で、所与のＳＣ−ＭＴＣＨのためのリソース割振り情報が識別され得る。
【００７１】
[0084]いくつかの例では、固定持続時間ＴＴＩまたはサブフレーム持続時間ＴＴＩの両方を使用し、短縮持続時間ＴＴＩを使用するマルチキャストサービスが、基地局１０５−ａによって与えられ得る。そのような場合、固定持続時間ＴＴＩまたはサブフレーム持続時間ＴＴＩを使用するＳＣ−ＰＴＭサービスは、制御情報およびトラフィックを伝達するために、ＳＣ−ＭＣＣＨとＳＣ−ＭＴＣＨとを使用し得、低レイテンシＰＴＭ（たとえば、ｓＳＣ−ＰＴＭまたはｕＳＣ−ＰＴＭ）サービスは、低レイテンシ制御情報およびトラフィックを伝達するために、低レイテンシＳＣ−ＭＣＣＨ（たとえば、ｓＳＣ−ＭＣＣＨまたはｕＳＣ−ＭＣＣＨ）と低レイテンシＳＣ−ＭＴＣＨ（たとえば、ｓＳＣ−ＭＴＣＨまたはｕＳＣ−ＭＣＣＨ）とを使用し得る。いくつかの例では、低レイテンシＳＣ−ＭＴＣＨは、短縮ＴＴＩ持続時間（たとえば、１シンボルＴＴＩ、２シンボルＴＴＩ、または１スロットＴＴＩ）を有する低レイテンシＰＴＭサービスをサポートし得、各マルチキャストサービスについて、ＰＤＣＣＨ、または低レイテンシＰＤＣＣＨを介して送信されるサービス固有Ｇ−ＲＮＴＩを有するリソースインジケーションによって識別されるワイヤレスリソースを含み得る。低レイテンシＳＣ−ＭＣＣＨは、いくつかの例では、上記で説明されたように繰返し期間および変更期間によって指定される比較的遅いレートにおいて繰り返され得る。いくつかの例では、低レイテンシＳＣ−ＭＣＣＨとＳＣ−ＭＣＣＨの両方は、同じフォーマットおよび繰返し期間／変更期間を有し得るか、あるいは異なるフォーマットまたは繰返し期間／変更期間を有し得る。
【００７２】
[0085]図３は、本開示の態様による、低レイテンシＰＴＭ送信をサポートする複数のＴＴＩ持続時間を含むワイヤレスリソース３００の一例を示す。いくつかの場合には、複数のＴＴＩ持続時間および対応するフレーム構造が、図１〜図２を参照しながら説明されたように、ＵＥ１１５または基地局１０５によって使用されるワイヤレスリソースの態様を表す。図３では、レガシーＴＴＩに対応するサブフレーム３０５は、第１のスロット３１０と第２のスロット３１５とを含み得、サブフレーム３０５の持続時間にわたる１４個のＯＦＤＭシンボル期間を有する。第１のスロット３１０および第２のスロット３１５の各々は、サブフレーム３０５に示されているように、０〜６をインデックス付けされた７つのシンボル期間を含み得る。低レイテンシＴＴＩはスロットＴＴＩ３２０を含み得、それは、サブフレーム３０５の第１のスロット３１０に対応し得るが、いくつかの例では、第２のスロット３１５に対応し得る。
【００７３】
[0086]いくつかの例では、低レイテンシＴＴＩは、２シンボルＴＴＩ３２５、または１シンボルＴＴＩ３３０を含み得る。いくつかの例では、第１のマルチキャストサービスは、第１のスロット３１０に関連するスロットＴＴＩ３２０を有し得、第２のマルチキャストサービスは、第２のスロット３１５に関連する、２シンボルＴＴＩ３２５、または１シンボルＴＴＩ３３０を有し得る。もちろん、単一のマルチキャストサービスのための単一のＴＴＩ持続時間または異なるマルチキャストサービスのためのＴＴＩ持続時間の様々な組合せが、特定のサブフレーム３０５の構成されたリソース内で使用され得、図３の例は、例示および説明の目的で与えられる。上記のように、異なるマルチキャストサービスがそれらの特定のＧ−ＲＮＴＩに従って区別され得、低レイテンシＰＴＭ通信を受信するＵＥは、ＵＥにおいて受信されるべきトラフィックに基づいて、特定のサービスを選択するかまたはそれのために構成され得る。いくつかの例では、複数のＰＴＭサービスが、サブフレーム上でＦＤＭ／ＴＤＭ様式で基地局によってスケジュールされ得る。いくつかの場合には、２つまたはそれ以上のＰＴＭサービスがＵＥによってサポートされる場合、サービスの各々が、同じＴＴＩ持続時間（たとえば、スロットＴＴＩ、２シンボルＴＴＩ、または１シンボルＴＴＩ）を有するように構成され得る。そのような場合、異なるＰＴＭサービスが、サブフレーム中の異なるＴＴＩ機会においてサポートされ得る。たとえば、スロットＴＴＩを用いて、第１のＰＴＭサービスが第１のスロット３１０においてスケジュールされ得、第２のＰＴＭサービスが第２のスロット３１５においてスケジュールされ得る。他の例では、異なるＰＴＭサービスが、サブフレーム中の異なるＴＴＩ持続時間を有し得る。そのような例では、基地局は、たとえば、ＳＩＢまたはＭＣＣＨ送信においてなど、特定のサービスのためにＴＴＩのインジケーションを与え得る。
【００７４】
[0087]上記のように、ＰＴＭ送信のためのワイヤレスリソースの割振りが、基地局１０５によって行われ、１つまたは複数のＵＥ１１５にシグナリングされ得る。ＰＴＭ送信のためのリソース割振りおよびＴＴＩ持続時間のインジケーションが、動的にまたは半静的に与えられ得る。ＰＴＭ送信の構成が半静的である例では、基地局は、たとえば、周期ＳＩＢ送信を通してなど、半静的に、スロットＴＴＩ、２シンボルＴＴＩ、または１シンボルＴＴＩなど、ＴＴＩ持続時間をシグナリングし得る。ＰＴＭ送信の構成が動的である例では、基地局は、サブフレームに関連するダウンリンク許可においてなど、サブフレーム単位でＴＴＩを選択し、サブフレームごとに動的にＴＴＩを示し得る。そのような動的ＴＴＩ選択は、たとえば、基地局が、低レイテンシＰＴＭ  ＴＴＩ持続時間をサブフレームの低レイテンシユニキャスト送信のＴＴＩ持続時間とアラインすることを可能にし得る。
【００７５】
[0088]いくつかの例では、低レイテンシＴＴＩ持続時間の変更は、サブフレーム単位で実行され得、いくつかの例では、低レイテンシＴＴＩ持続時間変更は、低レイテンシ送信を、ユニキャスト送信のより長い持続時間ＴＴＩ、他のより長い持続時間ＴＴＩ  ＰＴＭ送信、あるいは他の低レイテンシユニキャスト送信またはＰＴＭ送信の１つまたは複数の境界とアラインするようにするために、サブフレーム境界においてのみ行われ得る。いくつかの例では、キャリア上でユニキャスト送信とＰＴＭ送信の両方を同時に監視するＵＥのために、両方の送信についてＴＴＩをアラインすることが有用であり得る。そのようなアラインメント（alignment）は、基地局がより容易に２つの送信ストラテジー間でワイヤレスリソースを区分し、リソース重複を回避するのを助けることを可能にし得る。たとえば、低レイテンシユニキャスト送信が２シンボルＴＴＩ持続時間を用いて構成される場合、基地局は、低レイテンシＰＴＭ送信のために２シンボルＴＴＩ持続時間をも選択し得る。さらに、ユニキャストＴＴＩ持続時間が動的に示される例では、低レイテンシＰＴＭ送信ＴＴＩ持続時間は、同様に動的に示され得る。
【００７６】
[0089]上記のように、いくつかの例では、低レイテンシＰＴＭ送信のためのＤＲＸ構成は、ユニキャスト送信のＤＲＸ構成から独立していることがある。たとえば、ユニキャストサブフレーム持続時間ＴＴＩは、第１のＤＲＸモードにおいて構成され得、低レイテンシＰＴＭ送信は、ＤＲＸを有しないように構成され得、これは、低レイテンシＤＲＸサイクルの起動時間に関連するレイテンシを低減し得る。そのような構成は、ＵＥにおける増加された電力消費を生じ得、いくつかの例では、特定のＰＴＭサービスのサービス品質に基づいて実装され得る。他の例では、低レイテンシＰＴＭのためのＤＲＸは、関連するＰＴＭサービスのトラフィックタイプに少なくとも部分的に基づいて構成され得る。たとえば、データ送信の統計値または周期性（たとえば、低い遅延を用いて特定の時間においてＵＥのセットにグループコマンドを送ること）がアプリオリに知られるＰＴＭサービスについて、低レイテンシＰＴＭ  ＤＲＸスケジューリングは、ＵＥ起動時間がデータ送信に対応することを提供するように設定され得る。そのような構成は、ＤＲＸのない構成に対して向上された電力節約を与え得る。他の例では、低レイテンシＰＴＭ  ＤＲＸ周期性およびサブフレームオフセット構成は、サブフレームレベルＴＴＩ持続時間に基づき得るが、ＤＲＸオン持続時間は、低レイテンシＰＴＭ送信の短縮ＴＴＩ持続時間に基づき得る。そのような短縮オン持続時間は、低減された電力消費を与え得る。
【００７７】
[0090]図４は、本開示の態様による、低レイテンシＰＴＭ通信をサポートする、アラインされたユニキャストおよびＰＴＭ  ＴＴＩ持続時間を用いたワイヤレスリソース４００の一例を示す。いくつかの場合には、ワイヤレスリソース４００は、図１〜図２を参照しながら説明されたように、ＵＥ１１５または基地局１０５によって使用されるワイヤレスリソースの態様を表し得る。図４の例では、基地局は、サブフレーム４０５においてレガシーおよび／または低レイテンシユニキャスト送信を送信し得、ならびにサブフレーム４０５において低レイテンシＰＴＭ送信を送信し得る。そのような場合、基地局は、ＰＴＭ送信をユニキャスト送信より先に優先し得る。そのような優先度付けは、複数のＵＥへのＰＴＭ送信が単一のＵＥへのユニキャストデータより先に送信され得ることを提供し得る。低レイテンシユニキャストサービスとＰＴＭサービスとが同じ基地局において利用可能である場合、基地局は、いくつかの例では、ＰＴＭサービスをユニキャストサービスより先に優先し得る。１つの基地局がＬＴＥまたは低レイテンシユニキャストＬＴＥサービスをサポートし、隣接基地局が低レイテンシＰＴＭサービスをサポートする場合、両方の基地局のカバレージエリア内のＵＥは、データ復調品質を向上させるために、シンボルベース干渉推定を実行するように構成され得る。いくつかの例では、そのような隣接基地局間の協調は、ユニキャストＬＴＥ送信と低レイテンシＰＴＭ送信とが互いとの比較的小さい干渉を有するかまたは干渉を有しないような、協調スケジューリングを与え得る。
【００７８】
[0091]引き続き図４を参照すると、同じ基地局がユニキャストサービスとＰＴＭサービスの両方をサポートし、ＰＴＭサービスおよびユニキャストサービスのためのワイヤレスリソースが重複する場合、基地局は、いくつかの例では、異なるサービスのためにリソースを多重化し得る。図４の例では、レガシーＬＴＥユニキャスト送信に関連するサブフレーム４０５は、第１のスロット４１０と第２のスロット４１５とを有し得、各々は７つのＯＦＤＭシンボル期間を有する。低レイテンシＰＴＭ送信は、１スロットＴＴＩ４２５を有し得、それは、サブフレーム４０５の第１のスロット４１０に対応し得る。いくつかの例では、送信を受信するＵＥは、ＰＴＭ送信を用いるシンボル期間を識別するために、各シンボル期間にわたる受信電力を使用することによってなど、ＰＴＭ送信の存在を決定するためにブラインド検出を実行し得る。いくつかの例では、ユニキャスト送信を受信するＵＥは、ＰＴＭ送信によってパンクチャされる（punctured）ワイヤレスリソース中で受信される信号を廃棄し得る。代替手法は、ＵＥにおける干渉消去能力とともに共用リソース上で両方の送信を多重化することである。いくつかの例では、第１のスロット４１０中の低レイテンシＰＴＭリソースの存在が、ＰＴＭリソース中で受信される信号をＵＥが廃棄することを可能にするために、後続するサブフレームの制御チャネル送信を介してＰＴＭ送信を受信していないＵＥに示され得る。他の場合には、低レイテンシユニキャスト送信と低レイテンシＰＴＭ送信とは、異なるＴＴＩ持続時間を有し得るか、またはＴＴＩがアラインされないことがある。そのようなワイヤレスリソースの例が、図５Ａおよび図５Ｂに示されている。
【００７９】
[0092]図５Ａは、本開示の態様による、低レイテンシユニキャスト送信が低レイテンシＰＴＭ送信より前に開始し得る、ワイヤレスリソース５００の一例を示す。いくつかの場合には、ワイヤレスリソース５００とワイヤレスリソース５５０とは、図１〜図２を参照しながら説明されたように、ＵＥ１１５または基地局１０５によって使用されるワイヤレスリソースの態様を表し得る。
【００８０】
[0093]ワイヤレスリソース５００の例では、第１のスロット５１０と第２のスロット５１５とを有するサブフレーム５０５は、重複する低レイテンシユニキャスト送信および低レイテンシＰＴＭ送信を有し得る。低レイテンシユニキャスト送信は、たとえば、サブフレーム５０５の第１のスロット５１０に対応する低レイテンシユニキャストＴＴＩ５２０を含み得る。低レイテンシＰＴＭ送信は、この例では、低レイテンシユニキャストＴＴＩ５２０の開始の後に開始する２シンボルＴＴＩである、ＰＴＭ  ＴＴＩ５２５を有し得る。この場合、ＰＴＭ  ＴＴＩ５２５のリソースは、低レイテンシユニキャスト送信のための低レイテンシユニキャストＴＴＩ５２０のリソースをパンクチャするＰＴＭ送信を含み得る。いくつかの例では、基地局は、パンクチャドリソースのインジケーションを受信ＵＥに送信し得る。複数の低レイテンシＰＴＭ送信がスケジュールされる場合、どのシンボル期間が後続のＴＴＩにおいてパンクチャされ得るかのインジケーションが、後続のＴＴＩにおいて与えられ得、したがって、両方の送信が受信ＵＥにおける干渉消去とともに多重化され得る。
【００８１】
[0094]図５Ｂは、本開示の態様による、低レイテンシＰＴＭ送信が低レイテンシユニキャスト送信より前に開始し得る、ワイヤレスリソース５５０の一例を示す。いくつかの例では、ワイヤレスリソース５５０は、図１〜図２を参照しながら説明されたように、ＵＥ１１５または基地局１０５によって使用されるワイヤレスリソースの態様を表し得る。
【００８２】
[0095]ワイヤレスリソース５５０の例では、第１のスロット５６０と第２のスロット５６５とを有するサブフレーム５５５は、重複する低レイテンシユニキャスト送信および低レイテンシＰＴＭ送信を有し得る。低レイテンシユニキャスト送信は、たとえば、低レイテンシユニキャストＴＴＩ５７０を有し得、それは、この例では、サブフレーム５５５の第１のスロット５６０内に１シンボルＴＴＩ持続時間を有する。低レイテンシＰＴＭ送信は、この例では、低レイテンシユニキャストＴＴＩ５７０の開始の前に開始する２シンボルＴＴＩである、ＰＴＭ  ＴＴＩ５７５を有し得る。この例では、低レイテンシユニキャストＴＴＩ５７０の低レイテンシユニキャストリソースは、低レイテンシＰＴＭ  ＴＴＩ５７５のためのリソースの周りでレートマッチングされ得る。
【００８３】
[0096]いくつかの場合には、１つまたは複数の基準信号は、サブフレームＴＴＩ持続時間を用いて構成される１つまたは複数のレガシー送信中に、またはサブフレームＴＴＩ持続時間よりも短いＴＴＩ持続時間を用いて構成される１つまたは複数の低レイテンシユニキャスト送信中に存在し得る。たとえば、ＤＭＲＳは、レガシーまたは低レイテンシユニキャストリソース中に存在し得る。そのような例では、低レイテンシＰＴＭ送信のリソースは、そのような基準信号のリソースの周りでレートマッチングされ得、基準信号のインジケーションは、低レイテンシＰＴＭサービスを受信しているＵＥに与えられ得る。基準信号のそのようなインジケーションは、基準信号のシンボルを示し得、いくつかの例では、基準信号のＲＥのインジケーションを含み得る。いくつかの例では、低レイテンシＰＴＭ送信は、レガシーまたは低レイテンシユニキャスト送信の制御チャネルリソースとの重複を回避するために、基地局によってスケジュールされ得る。
【００８４】
[0097]図６は、本開示の態様による、低レイテンシＰＴＭ通信をサポートするプロセスフロー６００の一例を示す。プロセスフロー６００は、図１〜図２を参照しながら説明された対応するデバイスの例であり得る、基地局１０５−ｂと、第１のＵＥ１１５−ｃと、第２のＵＥ１１５−ｄとによる動作を含み得る。
【００８５】
[0098]６０５において、基地局１０５−ｂは、第１のＴＴＩ持続時間と第２のＰＴＭ  ＴＴＩ持続時間とを識別し得る。第１のＴＴＩ持続時間は、第２のＰＴＭ  ＴＴＩ持続時間よりも長いＴＴＩ持続時間に関連し得る。いくつかの例では、第１のＴＴＩ持続時間は、ＬＴＥサブフレームの持続時間に対応し得、第２のＰＴＭ  ＴＴＩ持続時間は、ＬＴＥサブフレームのスロット、ＬＴＥサブフレームの２つのシンボル期間、またはＬＴＥサブフレームの１つのシンボル期間に対応し得る。いくつかの例では、基地局１０５−ｂは、基地局１０５−ｂによって与えられるべき１つまたは複数の低レイテンシＰＴＭサービスに基づいて、第１のＴＴＩ持続時間と第２のＰＴＭ  ＴＴＩ持続時間とを識別し得る。いくつかの場合には、複数の低レイテンシＰＴＭサービスは、基地局１０５−ｂによって与えられ得、同じＴＴＩ持続時間または異なるＴＴＩ持続時間を有し得る、異なるＰＴＭサービスのための追加のＴＴＩ持続時間が識別され得る。
【００８６】
[0099]６１０において、基地局１０５−ｂは、ユニキャスト送信およびＰＴＭ送信のために、ＰＴＭリソースおよびユニキャストリソースを割り振り得る。ワイヤレスリソースは、様々な様式で割り振られ得、これは、ユニキャストリソースがＰＴＭリソースの周りでレートマッチングされる例、またはＰＴＭリソースがユニキャストリソースをパンクチャする例を含み得る。リソースは、ＴＴＩ持続時間を用いて構成され得る（たとえば、ユニキャストリソースは、第１のＴＴＩ持続時間を用いて構成され得、ＰＴＭリソースは、第２のＰＴＭ  ＴＴＩ持続時間を用いて構成され得る）。
【００８７】
[00100]６１５において、基地局１０５−ｂは、１つまたは複数の制御チャネル送信を第２のＵＥ１１５−ｄに送信し得、６２０において、基地局１０５−ｂは、１つまたは複数の制御チャネル送信を第１のＵＥ１１５−ｃに送信し得る。６１５および６２０において送信される制御チャネル送信は、６０５において識別されるＴＴＩ持続時間と６１０において割り振られたワイヤレスリソースとを示し得る。いくつかの例では、６１５および６２０において送信される制御チャネル送信は、特定のＰＴＭサービスに関連するグループインジケーションを含み得、第１のＵＥ１１５−ｃおよび／または第２のＵＥ１１５−ｄは、特定のＰＴＭサービスにも関連するグループＩＤを用いて構成され得る。
【００８８】
[00101]６２５において、第１のＵＥ１１５−ｃは、６２０において基地局１０５−ｂによって送信される１つまたは複数の制御チャネル送信を受信し得る。６３０において、第１のＵＥ１１５−ｃは、６０５において基地局１０５−ｂによって識別される第１のＴＴＩ持続時間を識別し得、６３５において、第１のＵＥ１１５−ｃは、６０５において基地局１０５−ｂによって識別される第２のＴＴＩ持続時間を識別し得る。いくつかの例では、６３５における第２のＴＴＩ持続時間の識別は、第１のＵＥ１１５−ｃのグループＩＤと、６２０において基地局１０５−ｂによって送信される１つまたは複数の制御チャネル送信のグループインジケータとに少なくとも部分的に基づき得る。６４０において、第１のＵＥ１１５−ｃは、割り振られたＰＴＭリソースを決定し得、６４５において、第１のＵＥ１１５−ｃは、割り振られたＰＴＭリソースと重複し得る、割り振られたユニキャストリソースを決定し得る。
【００８９】
[00102]６５０において、第２のＵＥ１１５−ｄは、６１５において基地局１０５−ｂによって送信される１つまたは複数の制御チャネル送信を受信し得る。６５５において、第２のＵＥ１１５−ｄは、６０５において基地局１０５−ｂによって識別される第１のＴＴＩ持続時間を識別し得、６６０において、第２のＵＥ１１５−ｄは、６０５において基地局１０５−ｂによって識別される第２のＴＴＩ持続時間を識別し得る。いくつかの例では、６６０における第２のＴＴＩ持続時間の識別は、第２のＵＥ１１５−ｄのグループＩＤと、６１５において基地局１０５−ｂによって送信される１つまたは複数の制御チャネル送信のグループインジケータとに少なくとも部分的に基づき得る。６６５において、第２のＵＥ１１５−ｄは、割り振られたＰＴＭリソースを決定し得る。
【００９０】
[00103]６７０において、基地局１０５−ｂは、ＰＴＭ送信とユニキャスト送信とを送信し得る。いくつかの例では、６７０において送信されるＰＴＭ送信は、本開示で説明されるように、低レイテンシＴＴＩ持続時間を用いて構成され得る。いくつかの例では、６７０において送信されるユニキャスト送信は、レガシーＴＴＩ持続時間、低レイテンシＴＴＩ持続時間を用いて構成される低レイテンシユニキャスト送信、またはそれらの組合せを用いて構成される、レガシーユニキャスト送信を含み得る。
【００９１】
[00104]６７５において、第２のＵＥ１１５−ｄは、６１０において割り振られたリソースを使用してＰＴＭ送信を受信し得、ＰＴＭデータを復号するために、ＰＴＭ送信をその後処理し得る。
【００９２】
[00105]６８０において、第１のＵＥ１１５−ｃは、６１０において割り振られたリソースを使用して、ＰＴＭ送信とユニキャスト送信とを受信し得、ＰＴＭデータとユニキャストデータとを復号するために、それらの送信をその後処理し得る。
【００９３】
[00106]図７は、本開示の態様による、低レイテンシＰＴＭ通信をサポートするワイヤレスデバイス７００のブロック図を示す。ワイヤレスデバイス７００は、図１、図２、または図６を参照しながら説明されたＵＥ１１５の態様の一例であり得る。ワイヤレスデバイス７００は、受信機７０５と、送信機７１０と、ＵＥ低レイテンシ通信マネージャ７１５とを含み得る。ワイヤレスデバイス７００はプロセッサをも含み得る。これらのコンポーネントの各々は互いと通信していることがある。
【００９４】
[00107]受信機７０５は、パケット、ユーザデータ、または様々な情報チャネルに関連する制御情報（たとえば、制御チャネル、データチャネル、ならびに低レイテンシポイントツーマルチポイント通信に関係する情報など）などの情報を受信し得る。情報は、デバイスの他のコンポーネントに受け渡され得る。受信機７０５は、図１０を参照しながら説明されるトランシーバ１０２５の態様の一例であり得る。受信機７０５は単一のアンテナを含み得るか、またはそれは複数のアンテナを含み得る。
【００９５】
[00108]送信機７１０は、ワイヤレスデバイス７００の他のコンポーネントから受信された信号を送信し得る。いくつかの例では、送信機７１０は、トランシーバモジュール中で受信機とコロケートされ得る。たとえば、送信機７１０は、図１０を参照しながら説明されるトランシーバ１０２５の態様の一例であり得る。送信機７１０は単一のアンテナを含み得るか、またはそれは複数のアンテナを含み得る。
【００９６】
[00109]ＵＥ低レイテンシ通信マネージャ７１５は、第１のＵＥに関連し得、２つまたはそれ以上のＵＥを対象とする送信の第１のセット（たとえば、第１のＵＥと第２のＵＥとを対象とするＰＴＭ送信）のためにワイヤレスリソースの第１のセットを割り振る第１の制御チャネル送信と、第１のＵＥを対象とする送信の第２のセット（たとえば、第１のＵＥを対象とするユニキャスト送信）のためにワイヤレスリソースの第２のセットを割り振る第２の制御チャネル送信とを（たとえば、受信機７０５と協働して）受信し得る。送信の第１のセットは、低レイテンシＰＴＭ送信であり得、送信の第２のセットは、低レイテンシユニキャスト送信、レガシーユニキャスト送信、またはそれらの組合せであり得る。ＵＥ低レイテンシ通信マネージャ７１５は、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。ＵＥ低レイテンシ通信マネージャ７１５は、送信の第１のセットが、第１の制御チャネル送信の受信に基づいて（たとえば、第１の制御チャネル送信のグループ識別情報に基づいて）、第１のＵＥにおいて受信されるべきであると決定し得、決定することに応答して、リソースの第１のセットを使用して、送信の第１のセットを（たとえば、受信機７０５と協働して）受信し得、ここで、リソースの第１のセットは、たとえば、第１のＴＴＩ持続時間を用いて構成され得る。ＵＥ低レイテンシ通信マネージャ７１５は、図１０を参照しながら説明されるＵＥ低レイテンシ通信マネージャ１００５の態様の一例であり得る。
【００９７】
[00110]図８は、本開示の態様による、低レイテンシＰＴＭ通信をサポートするワイヤレスデバイス８００のブロック図を示す。ワイヤレスデバイス８００は、図１、図２および図６〜図７を参照しながら説明されたワイヤレスデバイス７００またはＵＥ１１５の態様の一例であり得る。ワイヤレスデバイス８００は、受信機８０５と、ＵＥ低レイテンシ通信マネージャ８１０と、送信機８３０とを含み得る。ワイヤレスデバイス８００はプロセッサをも含み得る。これらのコンポーネントの各々は互いと通信していることがある。
【００９８】
[00111]受信機８０５は、デバイスの他のコンポーネントに受け渡され得る情報を受信し得る。受信機８０５はまた、図７の受信機７０５を参照しながら説明された機能を実行し得る。受信機８０５は、図１０を参照しながら説明されるトランシーバ１０２５の態様の一例であり得る。受信機８０５は、単一のアンテナを利用し得るか、またはそれは複数のアンテナを利用し得る。
【００９９】
[00112]ＵＥ低レイテンシ通信マネージャ８１０は、図７を参照しながら説明されたＵＥ低レイテンシ通信マネージャ７１５の態様の一例であり得、第１のＵＥに関連し得る。ＵＥ低レイテンシ通信マネージャ８１０は、ＴＴＩ識別コンポーネント８１５と、制御チャネルコンポーネント８２０と、制御ベース受信コンポーネント８２５とを含み得る。ＵＥ低レイテンシ通信マネージャ８１０は、図１０を参照しながら説明されるＵＥ低レイテンシ通信マネージャ１００５の態様の一例であり得る。
【０１００】
[00113]ＴＴＩ識別コンポーネント８１５は、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長くなり得る。いくつかの場合には、第１のＴＴＩ持続時間と第２のＴＴＩ持続時間とを識別することは、第２のＴＴＩ持続時間が無線フレームのサブフレームの持続時間に対応し、第１のＴＴＩ持続時間がサブフレームの持続時間の一部分に対応すると決定することを含む。たとえば、サブフレームは、２つまたはそれ以上のＯＦＤＭシンボル期間を含み得、第１のＴＴＩ持続時間は、ＯＦＤＭシンボル期間のうちの１つまたは複数に対応し得る。いくつかの場合には、サブフレームは、第１のＴＴＩ持続時間を有するＴＴＩのセットを含み、送信の第１のセットは、（たとえば、送信の第１のセットのためのワイヤレスリソースを用いて構成される複数のサブフレームの第１のスロット中の）異なるサブフレーム内の同じ第１のＴＴＩロケーションにおいて送信され得る。
【０１０１】
[00114]いくつかの場合には、第１の制御チャネル送信は第１のＴＴＩ持続時間を示す。いくつかの場合には、第１のＴＴＩ持続時間のインジケーションは、送信の第１のセットを含むダウンリンクワイヤレスリソースのインジケーションにおいて動的に受信される。いくつかの場合には、第１のＴＴＩ持続時間のインジケーションは、送信の第１のセットに関連する１つまたは複数のパラメータを構成するＳＩＢにおいてなど、半静的に受信される。いくつかの場合には、第１のＴＴＩ持続時間は、第１のＵＥに送信されるユニキャスト送信のセットを受信するための低レイテンシＴＴＩの持続時間と対応する。本明細書で使用されるユニキャスト送信のセットは、単一のユニキャスト送信および／または複数のユニキャスト送信を含み得る。
【０１０２】
[00115]制御チャネルコンポーネント８２０は、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを（たとえば、受信機８０５と協働して）受信し得る。いくつかの場合には、第１の制御チャネル送信は、送信の第１のセットのためのスケジューリング情報または後続の制御チャネル送信を監視するための監視持続時間のうちの１つまたは複数を含む。ワイヤレスリソースの第１のセットは、第１のＴＴＩ持続時間を用いて構成され得、ワイヤレスリソースの第２のセットは、第２のＴＴＩ持続時間を用いて構成され得る。
【０１０３】
[00116]制御ベース受信コンポーネント８２５は、第１の制御チャネル送信の受信に基づいて、送信の第１のセットが第１のＵＥにおいて受信されるべきであると決定することと、決定することに応答して、第１のＴＴＩを使用して、送信の第１のセットを（たとえば、受信機８０５と協働して）受信することとを行い得る。いくつかの場合には、送信の第１のセットを受信することは、ワイヤレスリソースの第１のセットによって識別されるトラフィックチャネルを受信することをさらに含む。いくつかの場合には、トラフィックチャネルは、送信の第２のセットのために使用されるＰＤＳＣＨの一部分を含む。
【０１０４】
[00117]送信機８３０は、ワイヤレスデバイス８００の他のコンポーネントから受信された信号を送信し得る。送信機８３０はまた、図７の送信機７１０を参照しながら説明された機能を実行し得る。いくつかの例では、送信機８３０は、トランシーバモジュール中で受信機とコロケートされ得る。たとえば、送信機８３０は、図１０を参照しながら説明されるトランシーバ１０２５の態様の一例であり得る。送信機８３０は、単一のアンテナを利用し得るか、またはそれは複数のアンテナを利用し得る。
【０１０５】
[00118]図９は、本開示の態様による、ＵＥ低レイテンシ通信マネージャ９００のブロック図を示す。ＵＥ低レイテンシ通信マネージャ９００は、図７および図８を参照しながら説明されたＵＥ低レイテンシ通信マネージャ７１５またはＵＥ低レイテンシ通信マネージャ８１０の態様の一例であり得、第１のＵＥに関連し得る。ＵＥ低レイテンシ通信マネージャ９００はまた、図１０を参照しながら説明されるＵＥ低レイテンシ通信マネージャ１００５の態様の一例であり得る。
【０１０６】
[00119]ＵＥ低レイテンシ通信マネージャ９００は、制御ベース受信コンポーネント９０５と、グループ識別情報コンポーネント９１０と、制御チャネルコンポーネント９１５と、ＤＲＸコンポーネント９２０と、ユニキャスト送信コンポーネント９２５と、ＴＴＩ識別コンポーネント９３０とを含み得る。これらのモジュールの各々は、直接または間接的に、（たとえば、１つまたは複数のバスを介して）互いと通信し得る。
【０１０７】
[00120]制御ベース受信コンポーネント９０５は、第１の制御チャネル送信の受信に基づいて、送信の第１のセットが第１のＵＥにおいて受信されるべきであると決定することと、決定することに応答して、リソースの第１のセットを使用して、送信の第１のセットを（たとえば、受信機と協働して）受信することとを行い得、ここで、ワイヤレスリソースの第１のセットは第１のＴＴＩを用いて構成され得る。
【０１０８】
[00121]グループ識別情報コンポーネント９１０は、（たとえば、第１のＵＥが第１のグループ識別情報を有するとき）第１のグループ識別情報と送信の第１のセットに関連するグループインジケーションとに基づいて、送信の第１のセットが第１のＵＥを対象とすると決定し得る。グループ識別情報コンポーネント９１０はまた、第１のＵＥの第２のグループ識別情報と、２つまたはそれ以上のＵＥを対象とし、第２のサービスに関連するＰＴＭ送信など、送信の第３のセットに関連する第２のグループインジケーションとに基づいて、送信の第３のセットが、第１のＵＥにおいて受信されるべきであると決定し得る。そのような例では、ＴＴＩ識別コンポーネント９３０は、送信の第３のセットを受信するための第３のＴＴＩ持続時間を識別し得る。
【０１０９】
[00122]いくつかの場合には、第１のグループ識別情報は、第１のブロードキャストサービスに関連し、第１のＵＥの第２のグループ識別情報は、第２のサービスに関連する。いくつかの場合には、送信の第３のセットは、第１のＴＴＩを使用するか、または異なるＴＴＩを使用し得る。たとえば、送信の第１のセットは、サブフレームの第１のスロットにおいて送信され得、送信の第３のセットは、サブフレームの第２のスロットにおいて送信され得、第１のスロットおよび第２のスロットは、第１のＴＴＩの持続時間を有する。他の例では、送信の第１のセットは、第１のスロットの２つのシンボルを占有し得、送信の第３のセットは、第１のスロットの１つまたは２つの重複しないシンボルを占有し得る。
【０１１０】
[00123]制御チャネルコンポーネント９１５は、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを（たとえば、受信機と協働して）受信し得る。いくつかの場合には、第１の制御チャネル送信は、送信の第１のセットのためのスケジューリング情報または後続の制御チャネル送信を監視するための監視持続時間のうちの１つまたは複数を含む。
【０１１１】
[00124]ＤＲＸコンポーネント９２０は、１つまたは複数のＤＲＸパラメータを構成し得、いくつかの例では、第１のＴＴＩ  ＤＲＸパラメータを１つまたは複数の第２のＴＴＩ  ＤＲＸパラメータとは別々に構成し得る。いくつかの場合には、構成することは、送信の第１のセットが第１のＵＥにおいて受信されるべきであると決定されるとき、ＤＲＸを中止すること、送信の第１のセットのトラフィックタイプに基づいて、１つまたは複数の第１のＴＴＩ  ＤＲＸパラメータを設定すること、または第２のＴＴＩ持続時間に基づいて第１のＴＴＩ  ＤＲＸ周期性またはオフセットを設定することおよび第１のＴＴＩ持続時間に基づいて第１のＴＴＩ  ＤＲＸオン持続時間を設定することのうちの１つまたは複数を含む。
【０１１２】
[00125]ユニキャスト送信コンポーネント９２５は、ユニキャスト送信が送信の第１のセットとコンカレントに送信されるように構成されると決定することと、送信の第１のセットがユニキャスト送信とコンカレントに第１のＵＥにおいて受信されるかどうかを決定することとを行い得る。いくつかの場合には、送信の第１のセットがユニキャスト送信とコンカレントに第１のＵＥにおいて受信されるかどうかを決定することは、ユニキャスト送信と送信の第１のセットとがコンカレントに受信されることをブラインド検出することを含む。いくつかの場合には、ブラインド検出することは、第１のＴＴＩ持続時間を有する２つまたはそれ以上のＴＴＩにわたって（たとえば、受信機によって受信された）受信電力を比較することを含む。いくつかの場合には、インジケーションは、送信の第１のセットがユニキャスト送信とコンカレントに送信されるべきであるという制御チャネルインジケーションにおいて受信され得る。
【０１１３】
[00126]いくつかの場合には、ユニキャスト送信は、送信の第１のセットの周りでレートマッチングされ得る。いくつかの場合には、送信の第１のセットは、ユニキャスト送信のためにスケジュールされたリソースをパンクチャするリソースにおいてスケジュールされ得、ＵＥは、送信の受信された第１のセットに対して干渉消去を実行し得る。いくつかの場合には、送信の第１のセットは、ユニキャスト送信に関連する１つまたは複数の基準信号の周りでレートマッチングされ得る。
【０１１４】
[00127]ＴＴＩ識別コンポーネント９３０は、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。
【０１１５】
[00128]図１０は、本開示の態様による、低レイテンシＰＴＭ通信をサポートするＵＥ１１５−ｅを含むシステム１０００の図を示す。ＵＥ１１５−ｅは、図１、図２および図６〜図８を参照しながら説明されたように、ワイヤレスデバイス７００、ワイヤレスデバイス８００、またはＵＥ１１５の一例であり得る。
【０１１６】
[00129]ＵＥ１１５−ｅは、ＵＥ低レイテンシ通信マネージャ１００５と、メモリ１０１０と、プロセッサ１０２０と、トランシーバ１０２５と、アンテナ１０３０と、誤り訂正コード（ＥＣＣ）モジュール１０３５とを含み得る。これらのモジュールの各々は、直接または間接的に、（たとえば、１つまたは複数のバスを介して）互いと通信し得る。ＵＥ低レイテンシ通信マネージャ１００５は、図７〜図９を参照しながら説明されたように、ＵＥ低レイテンシ通信マネージャの一例であり得る。
【０１１７】
[00130]メモリ１０１０は、ランダムアクセスメモリ（ＲＡＭ）および読取り専用メモリ（ＲＯＭ）を含み得る。メモリ１０１０は、プロセッサ１０２０によって実行されたとき、ＵＥ１１５−ｃに本明細書で説明される様々な機能（たとえば、低レイテンシポイントツーマルチポイント通信など）を実行させるように動作可能である命令を含むコンピュータ可読、コンピュータ実行可能ソフトウェア／ファームウェアコード１０１５を記憶し得る。いくつかの場合には、コード１０１５は、プロセッサ１０２０によって直接的に実行可能でないことがあるが、（たとえば、コンパイルされ実行されたとき）コンピュータに、ＵＥ１１５−ｅに本明細書で説明される機能を実行させることを行わせ得る。プロセッサ１０２０は、インテリジェントハードウェアデバイス、（たとえば、中央処理ユニット（ＣＰＵ）、マイクロコントローラ、特定用途向け集積回路（ＡＳＩＣ）など）を含み得る。
【０１１８】
[00131]トランシーバ１０２５は、上記で説明されたように、１つまたは複数のアンテナ、ワイヤードリンク、またはワイヤレスリンクを介して、１つまたは複数のネットワークと双方向に通信し得る。たとえば、トランシーバ１０２５は、基地局１０５（たとえば、基地局１０５−ｃ）または別のＵＥ１１５と双方向に通信し得る。トランシーバ１０２５はまた、パケットを変調し、変調されたパケットを送信のためにアンテナに与えるための、およびアンテナから受信されたパケットを復調するためのモデムを含み得る。いくつかの場合には、ＵＥ１１５−ｅは単一のアンテナ１０３０を含み得る。しかしながら、いくつかの場合には、デバイスは、複数のワイヤレス送信をコンカレントに送信または受信することが可能であり得る２つ以上のアンテナ１０３０を有し得る。
【０１１９】
[00132]ＥＣＣモジュール１０３５は、低減または可変持続時間ＴＴＩを使用する動作、広帯域動作、あるいは無認可スペクトル中の動作を含む、ＥＣＣを使用する動作を可能にし得る。
【０１２０】
[00133]図１１は、本開示の態様による、低レイテンシＰＴＭ通信をサポートするワイヤレスデバイス１１００のブロック図を示す。ワイヤレスデバイス１１００は、図１、図２、および図６を参照しながら説明された基地局１０５の態様の一例であり得る。ワイヤレスデバイス１１００は、受信機１１０５と、送信機１１１０と、基地局低レイテンシ通信マネージャ１１１５とを含み得る。ワイヤレスデバイス１１００はプロセッサをも含み得る。これらのコンポーネントの各々は互いと通信していることがある。
【０１２１】
[00134]受信機１１０５は、パケット、ユーザデータ、または様々な情報チャネルに関連する制御情報（たとえば、制御チャネル、データチャネル、ならびに低レイテンシポイントツーマルチポイント通信に関係する情報など）などの情報を受信し得る。情報は、デバイスの他のコンポーネントに受け渡され得る。受信機１１０５は、図１４を参照しながら説明されるトランシーバ１４２５の態様の一例であり得る。受信機１１０５は単一のアンテナを含み得るか、またはそれは複数のアンテナを含み得る。
【０１２２】
[00135]送信機１１１０は、ワイヤレスデバイス１１００の他のコンポーネントから受信された信号を送信し得る。いくつかの例では、送信機１１１０は、トランシーバモジュール中で受信機とコロケートされ得る。たとえば、送信機１１１０は、図１４を参照しながら説明されるトランシーバ１４２５の態様の一例であり得る。送信機１１１０は単一のアンテナを含み得るか、またはそれは複数のアンテナを含み得る。
【０１２３】
[00136]基地局低レイテンシ通信マネージャ１１１５は、送信の第１のセット（たとえば、ＰＴＭ送信のセット）を少なくとも第１のＵＥと第２のＵＥとに送信するための第１のＴＴＩ持続時間と、送信の第２のセット（たとえば、ユニキャスト送信のセット）を１つまたは複数のＵＥに送信するための第２のＴＴＩ持続時間とを識別し得る。いくつかの例では、第２のＴＴＩ持続時間は第１のＴＴＩ持続時間よりも長くなり得る。基地局低レイテンシ通信マネージャ１１１５は、第１のＵＥと第２のＵＥとが送信の第１のセットを受信するべきであると決定し、第１のＴＴＩを用いて構成され得るワイヤレスリソースの第１のセットを使用して、送信の第１のセットを第１のＵＥと第２のＵＥとに（たとえば、送信機１１１０と協働して）送信し得る。基地局低レイテンシ通信マネージャ１１１５は、第２のＴＴＩを用いて構成され得るワイヤレスリソースの第２のセットを使用して、送信の第２のセットを（たとえば、送信機１１１０と協働して）送信し得る。送信の第１のセットは、たとえば、低レイテンシＰＴＭ送信であり得、送信の第２のセットはユニキャスト送信であり得る。基地局低レイテンシ通信マネージャ１１１５は、図１４を参照しながら説明される基地局低レイテンシ通信マネージャ１４０５の態様の一例であり得る。
【０１２４】
[00137]図１２は、本開示の態様による、低レイテンシＰＴＭ通信をサポートするワイヤレスデバイス１２００のブロック図を示す。ワイヤレスデバイス１２００は、図１、図２、図６および図１１を参照しながら説明されたワイヤレスデバイス１１００または基地局１０５の態様の一例であり得る。ワイヤレスデバイス１２００は、受信機１２０５と、基地局低レイテンシ通信マネージャ１２１０と、送信機１２３０とを含み得る。ワイヤレスデバイス１２００はプロセッサをも含み得る。これらのコンポーネントの各々は互いと通信していることがある。
【０１２５】
[00138]受信機１２０５は、デバイスの他のコンポーネントに受け渡され得る情報を受信し得る。受信機１２０５はまた、図１１の受信機１１０５を参照しながら説明された機能を実行し得る。いくつかの例では、受信機１２０５は、トランシーバモジュール中で受信機とコロケートされ得る。たとえば、受信機１２０５は、図１４を参照しながら説明されるトランシーバ１４２５の態様の一例であり得る。受信機１２０５は、単一のアンテナを利用し得るか、またはそれは複数のアンテナを利用し得る。
【０１２６】
[00139]基地局低レイテンシ通信マネージャ１２１０は、図１１を参照しながら説明された基地局低レイテンシ通信マネージャ１１１５の態様の一例であり得る。基地局低レイテンシ通信マネージャ１２１０は、ＴＴＩ識別コンポーネント１２１５と、ＵＥ決定コンポーネント１２２０と、送信構成コンポーネント１２２５とを含み得る。基地局低レイテンシ通信マネージャ１２１０は、図１４を参照しながら説明される基地局低レイテンシ通信マネージャ１４０５の態様の一例であり得る。
【０１２７】
[00140]ＴＴＩ識別コンポーネント１２１５は、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの場合には、第２のＴＴＩ持続時間は無線フレームのサブフレームの持続時間に対応し、第１のＴＴＩ持続時間はサブフレームの持続時間の一部分に対応する。いくつかの場合には、サブフレームは、２つまたはそれ以上のＯＦＤＭシンボル期間を含み、第１のＴＴＩ持続時間は、ＯＦＤＭシンボル期間のうちの１つまたは複数に対応する。いくつかの場合には、サブフレームは、第１のＴＴＩ持続時間を有するＴＴＩのセットを含み、送信の第１のセットは、異なるサブフレーム内の同じ第１のＴＴＩロケーションにおいて送信され得る。いくつかの場合には、第１のＴＴＩ持続時間は、第１のＵＥに送信されるユニキャスト送信のセットのための低レイテンシＴＴＩの持続時間に対応する。
【０１２８】
[00141]ＵＥ決定コンポーネント１２２０は、第１のＵＥと第２のＵＥとが送信の第１のセットを受信するべきであると決定し得る。送信構成コンポーネント１２２５は、第１のＴＴＩを用いて構成されるワイヤレスリソースの第１のセットを使用して、送信の第１のセットを第１のＵＥと第２のＵＥとに（たとえば、送信機１２３０と協働して）送信することと、第２のＴＴＩを用いて構成されるリソースの第２のセットを使用して、送信の第２のセットを送信することとを行い得る。
【０１２９】
[00142]送信機１２３０は、ワイヤレスデバイス１２００の他のコンポーネントから受信された信号を送信し得る。送信機はまた、図１１の送信機１１１０を参照しながら説明された機能を実行し得る。いくつかの例では、送信機１２３０は、トランシーバモジュール中で受信機とコロケートされ得る。たとえば、送信機１２３０は、図１４を参照しながら説明されるトランシーバ１４２５の態様の一例であり得る。送信機１２３０は、単一のアンテナを利用し得るか、またはそれは複数のアンテナを利用し得る。
【０１３０】
[00143]図１３は、本開示の態様による、低レイテンシＰＴＭ通信をサポートする基地局低レイテンシ通信マネージャ１３００のブロック図を示す。基地局低レイテンシ通信マネージャ１３００は、図１１および図１２を参照しながら説明された基地局低レイテンシ通信マネージャ１１１５または基地局低レイテンシ通信マネージャ１２１０の態様の一例であり得る。基地局低レイテンシ通信マネージャ１３００はまた、図１４を参照しながら説明される基地局低レイテンシ通信マネージャ１４０５の態様の一例であり得る。
【０１３１】
[00144]基地局低レイテンシ通信マネージャ１３００は、リソース割振りコンポーネント１３０５と、ＴＴＩ識別コンポーネント１３１０と、ＵＥグルーピングコンポーネント１３１５と、送信構成コンポーネント１３２０と、制御チャネルコンポーネント１３２５と、ＤＲＸコンポーネント１３３０と、ユニキャストコンポーネント１３３５と、ＵＥ決定コンポーネント１３４０とを含み得る。これらのモジュールの各々は、直接または間接的に、（たとえば、１つまたは複数のバスを介して）互いと通信し得る。
【０１３２】
[00145]リソース割振りコンポーネント１３０５は、送信の第１のセットのためにワイヤレスリソースの第１のセットを割り振り、送信の第２のセットのためにワイヤレスリソースの第２のセットを割り振り、いくつかの場合には、送信の追加のセットのために追加のセットまたはワイヤレスリソース（たとえば、異なるマルチキャストサービスのためのリソース）を割り振り得る。ワイヤレスリソースの第１のセットは、第１のＴＴＩ持続時間を用いて構成され得、ワイヤレスリソースの第２のセットは、第２のＴＴＩ持続時間を用いて構成され得る。ワイヤレスリソースの第１のセットは、ワイヤレスリソースの第２のセットのサブセットを含み得、ワイヤレスリソースの第１のセットおよびワイヤレスリソースの第２のセットの割振りは、１つまたは複数の制御チャネル送信において第１のＵＥと第２のＵＥとに送信され得る。いくつかの例では、第１の制御チャネル送信は、送信の第１のセットのためのスケジューリング情報または後続の制御チャネル送信を監視するための監視持続時間のうちの１つまたは複数を含み得る。いくつかの場合には、ワイヤレスリソースの第１のセットは、送信の第２のセットのために使用されるＰＤＳＣＨ内のトラフィックチャネルを含む。
【０１３３】
[00146]ＴＴＩ識別コンポーネント１３１０は、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの場合には、ＴＴＩ識別コンポーネント１３１０は、異なるＰＴＭサービスの送信など、送信の１つまたは複数の追加のセットのために、１つまたは複数の追加のＴＴＩ持続時間を識別し得る。
【０１３４】
[00147]ＵＥグルーピングコンポーネント１３１５は、異なるサービスに関連するグループＩＤを識別し得、いくつかの場合には、送信の第３のセットを介して与えられるべき、第１のＵＥと少なくとも１つの他のＵＥとに与えられるべき第２のサービスを識別し得る。いくつかの場合には、ＵＥグルーピングコンポーネント１３１５は、第１のＵＥと第２のＵＥとが送信の第１のセットを受信するべきであることを識別し、第１のグループ識別情報を用いて第１のＵＥと第２のＵＥとを構成し得る。いくつかの場合には、第１のグループ識別情報は、第１のブロードキャストサービスに関連し、ＵＥグルーピングコンポーネント１３１５はまた、第１のＴＴＩ持続時間を使用するワイヤレスリソースの第３のセットを使用して、送信の第３のセットによって与えられ得る第２のサービスに関連する第２のグループ識別情報を用いて、第１のＵＥと少なくとも１つの他のＵＥとを構成し得る。いくつかの場合には、送信の第１のセットは、サブフレームの第１のスロットにおいて送信され、送信の第３のセットは、サブフレームの第２のスロットにおいて送信され、ここで、第１のスロットおよび第２のスロットは、第１のＴＴＩ持続時間を有する。いくつかの場合には、送信の第３のセットは、第２のＴＴＩ持続時間よりも短い第３のＴＴＩ持続時間を使用する。
【０１３５】
[00148]送信構成コンポーネント１３２０は、第１のＴＴＩ持続時間を用いて構成されるワイヤレスリソースの第１のセットを使用して、送信の第１のセットを受信することと、第２のＴＴＩ持続時間を用いて構成されるワイヤレスリソースの第２のセットを使用して、送信の第２のセットを受信することとを行うように、第１のＵＥまたは第２のＵＥ、またはその両方を構成し得る。
【０１３６】
[00149]制御チャネルコンポーネント１３２５は、第１のＴＴＩ持続時間を示す第１の制御チャネル送信を（たとえば、送信機と協働して）送信し得る。いくつかの場合には、第１のＴＴＩ持続時間のインジケーションは、送信の第１のセットを含むダウンリンクワイヤレスリソースのインジケーションにおいて動的に送信される。いくつかの場合には、第１のＴＴＩ持続時間のインジケーションは、送信の第１のセットに関連する１つまたは複数のパラメータを構成するＳＩＢにおいて半静的に送信される。
【０１３７】
[00150]ＤＲＸコンポーネント１３３０は、１つまたは複数の第１のＴＴＩ  ＤＲＸパラメータを１つまたは複数の第２のＴＴＩ  ＤＲＸパラメータとは別々に構成することと、１つまたは複数の第１のＴＴＩ  ＤＲＸパラメータと１つまたは複数の第２のＴＴＩ  ＤＲＸパラメータとを第１のＵＥと第２のＵＥとに送信することとを行い得る。いくつかの場合には、構成することは、送信の第１のセットが第１のＵＥにおいて受信されるべきであると決定されるとき、ＤＲＸを中止すること、送信の第１のセットのトラフィックタイプに基づいて、１つまたは複数の第１のＴＴＩ  ＤＲＸパラメータを設定すること、または第２のＴＴＩ持続時間に基づいて第１のＴＴＩ  ＤＲＸ周期性またはオフセットを設定することおよび第１のＴＴＩ持続時間に基づいて第１のＴＴＩ  ＤＲＸオン持続時間を設定することのうちの１つまたは複数を含む。
【０１３８】
[00151]ユニキャストコンポーネント１３３５は、ユニキャスト送信が送信の第１のセットの送信とコンカレントに送信されるべきであると決定することと、送信の第１のセットをユニキャスト送信よりも優先することとを行い得る。ユニキャストコンポーネント１３３５は、送信の第１のセットがユニキャスト送信とコンカレントに送信されるというインジケーションを（たとえば、送信機と協働して）送信すること、送信の第１のセットの周りでユニキャスト送信をレートマッチングすること、ユニキャスト送信の１つまたは複数の基準信号の周りで送信の第１のセットをレートマッチングすること、またはそれらの組合せを行い得る。ＵＥ決定コンポーネント１３４０は、ＵＥグルーピングコンポーネント１３１５とともに、第１のＵＥと第２のＵＥとが送信の第１のセットを受信するべきであると決定し得る。
【０１３９】
[00152]図１４は、本開示の態様による、低レイテンシＰＴＭ通信をサポートする基地局１０５−ｄを含むシステム１４００の図を示す。基地局１０５−ｄは、図１、図２、図６および図１１〜図１３を参照しながら説明されたように、ワイヤレスデバイス１１００、ワイヤレスデバイス１２００、または基地局１０５の一例であり得る。基地局１０５−ｄは、通信を送信するためのコンポーネントと通信を受信するためのコンポーネントとを含む、双方向音声およびデータ通信のためのコンポーネントをも含み得る。たとえば、基地局１０５−ｄは、１つまたは複数の基地局（たとえば、基地局１０５−ｅおよび基地局１０５−ｆ）および／または１つまたは複数のＵＥ１１５（たとえば、ＵＥ１１５−ｆおよびＵＥ１１５−ｇ）と双方向に通信し得る。
【０１４０】
[00153]基地局１０５−ｄは、基地局低レイテンシ通信マネージャ１４０５と、メモリ１４１０と、プロセッサ１４２０と、トランシーバ１４２５と、アンテナ１４３０と、基地局通信モジュール１４３５と、ネットワーク通信モジュール１４４０とを含み得る。これらのモジュールの各々は、直接または間接的に、（たとえば、１つまたは複数のバスを介して）互いと通信し得る。基地局低レイテンシ通信マネージャ１４０５は、図１１〜図１３を参照しながら説明されたように、基地局低レイテンシ通信マネージャの一例であり得る。
【０１４１】
[00154]メモリ１４１０はＲＡＭおよびＲＯＭを含み得る。メモリ１４１０は、プロセッサ１４２０によって実行されたとき、基地局１０５−ｄに本明細書で説明される様々な機能（たとえば、低レイテンシポイントツーマルチポイント通信など）を実行させる命令を含むコンピュータ可読、コンピュータ実行可能ソフトウェア／ファームウェアコード１４１５を記憶し得る。いくつかの場合には、コード１４１５は、プロセッサ１４２０によって直接的に実行可能でないことがあるが、（たとえば、コンパイルされ実行されたとき）コンピュータに本明細書で説明される機能を実行させ得る。プロセッサ１４２０は、インテリジェントハードウェアデバイス、（たとえば、ＣＰＵ、マイクロコントローラ、ＡＳＩＣなど）を含み得る。
【０１４２】
[00155]トランシーバ１４２５は、上記で説明されたように、１つまたは複数のアンテナ、ワイヤードリンク、またはワイヤレスリンクを介して、１つまたは複数のネットワークと双方向に通信し得る。たとえば、トランシーバ１４２５は、基地局１０５またはＵＥ１１５と双方向に通信し得る。トランシーバ１４２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１４３０を含み得る。しかしながら、いくつかの場合には、デバイスは、複数のワイヤレス送信をコンカレントに送信または受信することが可能であり得る２つ以上のアンテナ１４３０を有し得る。
【０１４３】
[00156]基地局通信モジュール１４３５は、他の基地局１０５との通信を管理し得、他の基地局１０５と協働してＵＥ１１５との通信を制御するためのコントローラまたはスケジューラを含み得る。たとえば、基地局通信モジュール１４３５は、ビームフォーミングまたはジョイント送信などの様々な干渉緩和技法のためのＵＥ１１５への送信のためのスケジューリングを協調させ得る。いくつかの例では、基地局通信モジュール１４３５は、基地局１０５間の通信を行うために、ＬＴＥ／ＬＴＥ−Ａワイヤレス通信ネットワーク技術内のＸ２インターフェースを与え得る。
【０１４４】
[00157]ネットワーク通信モジュール１４４０は、（たとえば、１つまたは複数のワイヤードバックホールリンクを介して）コアネットワークとの通信を管理し得る。たとえば、ネットワーク通信モジュール１４４０は、１つまたは複数のＵＥ１１５など、クライアントデバイスのためのデータ通信の転送を管理し得る。
【０１４５】
[00158]図１５は、本開示の態様による、低レイテンシＰＴＭ通信のための方法１５００を示すフローチャートを示す。方法１５００の動作は、図１、図２、および図６〜図１０を参照しながら説明されたように、ＵＥ１１５などのデバイスまたはそれのコンポーネントによって実装され得る。たとえば、方法１５００の動作は、本明細書で説明されるように、ＵＥ低レイテンシ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能態様を実行し得る。
【０１４６】
[00159]ブロック１５０５において、ＵＥ１１５は、図２〜図６を参照しながら上記で説明されたように、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信し得る。いくつかの例では、ブロック１５０５の動作は、図８および図９を参照しながら説明されたような制御チャネルコンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１４７】
[00160]ブロック１５１０において、ＵＥ１１５は、図２〜図６を参照しながら上記で説明されたように、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。いくつかの例では、ブロック１５１０の動作は、図８および図９を参照しながら説明されたように、ＴＴＩ識別コンポーネントによって実行され得る。
【０１４８】
[00161]ブロック１５１５において、ＵＥ１１５は、図２〜図６を参照しながら上記で説明されたように、第１の制御チャネル送信の受信に少なくとも部分的に基づいて、送信の第１のセットが第１のＵＥにおいて受信されるべきであると決定し得る。いくつかの例では、ブロック１５１５の動作は、図８および図９を参照しながら説明されたように、制御ベース受信コンポーネントによって実行され得る。
【０１４９】
[00162]ブロック１５２０において、ＵＥ１１５は、図２〜図６を参照しながら上記で説明されたように、決定することに応答して、ワイヤレスリソースの第１のセットを使用して、送信の第１のセットを受信し得、ここで、ワイヤレスリソースの第１のセットは第１のＴＴＩ持続時間を用いて構成される。いくつかの例では、ブロック１５２０の動作は、図８および図９を参照しながら説明されたような制御ベース受信コンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１５０】
[00163]図１６は、本開示の態様による、低レイテンシＰＴＭ通信のための方法１６００を示すフローチャートを示す。方法１６００の動作は、図１、図２、および図６〜図１０を参照しながら説明されたように、ＵＥ１１５などのデバイスまたはそれのコンポーネントによって実装され得る。たとえば、方法１６００の動作は、本明細書で説明されるように、ＵＥ低レイテンシ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能態様を実行し得る。
【０１５１】
[00164]ブロック１６０５において、ＵＥ１１５は、図２〜図６を参照しながら上記で説明されたように、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信し得る。いくつかの例では、ブロック１６０５の動作は、図８および図９を参照しながら説明されたような制御チャネルコンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１５２】
[00165]ブロック１６１０において、ＵＥ１１５は、図２〜図６を参照しながら上記で説明されたように、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。いくつかの例では、ブロック１６１０の動作は、図８および図９を参照しながら説明されたように、ＴＴＩ識別コンポーネントによって実行され得る。
【０１５３】
[00166]ブロック１６１５において、ＵＥ１１５は、図２〜図６を参照しながら上記で説明されたように、第１の制御チャネル送信の受信に少なくとも部分的に基づいて、送信の第１のセットが第１のＵＥにおいて受信されるべきであると決定し得る。いくつかの場合には、第１のＵＥは第１のグループ識別情報を有し、決定することは、第１のグループ識別情報と送信の第１のセットに関連するグループインジケーションとに基づいて、送信の第１のセットが第１のＵＥを対象とすると決定することを含む。いくつかの例では、ブロック１６１５の動作は、図８および図９を参照しながら説明されたように、制御ベース受信コンポーネントによって実行され得る。
【０１５４】
[00167]ブロック１６２０において、ＵＥ１１５は、図２〜図６を参照しながら上記で説明されたように、ブロック１６１５の決定することに応答して、ワイヤレスリソースの第１のセットを使用して、送信の第１のセットを受信し得、ここで、ワイヤレスリソースの第１のセットは第１のＴＴＩ持続時間を用いて構成される。いくつかの例では、ブロック１６２０の動作は、図８および図９を参照しながら説明されたような制御ベース受信コンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１５５】
[00168]ブロック１６２５において、第１のグループ識別情報が第１のブロードキャストサービスに関連するとき、ＵＥ１１５は、図２〜図６を参照しながら上記で説明されたように、第２のサービスに関連する第１のＵＥの第２のグループ識別情報を識別し得る。いくつかの例では、ブロック１６２５の動作は、図８および図９を参照しながら説明されたように、グループ識別情報コンポーネントによって実行され得る。
【０１５６】
[00169]ブロック１６３０において、ＵＥ１１５は、図２〜図６を参照しながら上記で説明されたように、第２のグループ識別情報と、２つまたはそれ以上のＵＥを対象とし、第２のサービスに関連する送信の第３のセットに関連する第２のグループインジケーションとに基づいて、送信の第３のセットが、第１のＵＥにおいて受信されるべきであると決定し得る。いくつかの例では、ブロック１６３０の動作は、図８および図９を参照しながら説明されたようなグループ識別情報コンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１５７】
[00170]図１７は、本開示の態様による、低レイテンシＰＴＭ通信のための方法１７００を示すフローチャートを示す。方法１７００の動作は、図１、図２、および図６〜図１０を参照しながら説明されたように、ＵＥ１１５などのデバイスまたはそれのコンポーネントによって実装され得る。たとえば、方法１７００の動作は、本明細書で説明されるように、ＵＥ低レイテンシ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能態様を実行し得る。
【０１５８】
[00171]ブロック１７０５において、ＵＥ１１５は、図２〜図６を参照しながら上記で説明されたように、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信し得る。いくつかの例では、ブロック１７０５の動作は、図８および図９を参照しながら説明されたような制御チャネルコンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１５９】
[00172]ブロック１７１０において、ＵＥ１１５は、図２〜図６を参照しながら上記で説明されたように、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。いくつかの例では、ブロック１７１０の動作は、図８および図９を参照しながら説明されたように、ＴＴＩ識別コンポーネントによって実行され得る。
【０１６０】
[00173]ブロック１７１５において、ＵＥ１１５は、図２〜図６を参照しながら上記で説明されたように、第１の制御チャネル送信の受信に少なくとも部分的に基づいて、送信の第１のセットが第１のＵＥにおいて受信されるべきであると決定し得る。いくつかの例では、ブロック１７１５の動作は、図８および図９を参照しながら説明されたように、制御ベース受信コンポーネントによって実行され得る。
【０１６１】
[00174]ブロック１７２０において、ＵＥ１１５は、図２〜図６を参照しながら上記で説明されたように、ブロック１７１５の決定することに応答して、ワイヤレスリソースの第１のセットを使用して、送信の第１のセットを受信し得、ここで、ワイヤレスリソースの第１のセットは第１のＴＴＩ持続時間を用いて構成される。いくつかの例では、ブロック１７２０の動作は、図８および図９を参照しながら説明されたような制御ベース受信コンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１６２】
[00175]ブロック１７２５において、ＵＥ１１５は、図２〜図６を参照しながら上記で説明されたように、１つまたは複数の第１のＴＴＩ  ＤＲＸパラメータを１つまたは複数の第２のＴＴＩ  ＤＲＸパラメータとは別々に構成し得る。いくつかの例では、ブロック１７２５の動作は、図８および図９を参照しながら説明されたように、ＤＲＸコンポーネントによって実行され得る。
【０１６３】
[00176]図１８は、本開示の態様による、低レイテンシＰＴＭ通信のための方法１８００を示すフローチャートを示す。方法１８００の動作は、図１、図２、および図６〜図１０を参照しながら説明されたように、ＵＥ１１５などのデバイスまたはそれのコンポーネントによって実装され得る。たとえば、方法１８００の動作は、本明細書で説明されるように、ＵＥ低レイテンシ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能態様を実行し得る。
【０１６４】
[00177]ブロック１８０５において、ＵＥ１１５は、図２〜図６を参照しながら上記で説明されたように、２つまたはそれ以上のＵＥを対象とする送信の第１のセットのためにワイヤレスリソースの第１のセットを割り振る第１の制御チャネル送信と、第１のＵＥを対象とする送信の第２のセットのためにワイヤレスリソースの第２のセットを割り振る第２の制御チャネル送信とを受信し得る。いくつかの例では、ブロック１８０５の動作は、図８および図９を参照しながら説明されたような制御チャネルコンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１６５】
[00178]ブロック１８１０において、ＵＥ１１５は、図２〜図６を参照しながら上記で説明されたように、送信の第１のセットの受信のための第１のＴＴＩ持続時間と、第１のＵＥを対象とする送信の第２のセットの受信のための第２のＴＴＩ持続時間とを識別し得、ここで、第２のＴＴＩ持続時間は第１のＴＴＩ持続時間よりも長い。いくつかの例では、ブロック１８１０の動作は、図８および図９を参照しながら説明されたように、ＴＴＩ識別コンポーネントによって実行され得る。
【０１６６】
[00179]ブロック１８１５において、ＵＥ１１５は、図２〜図６を参照しながら上記で説明されたように、第１の制御チャネル送信の受信に少なくとも部分的に基づいて、送信の第１のセットが第１のＵＥにおいて受信されるべきであると決定し得る。いくつかの場合には、送信の第１のセットがユニキャスト送信とコンカレントに第１のＵＥにおいて受信されるかどうかを決定することは、ユニキャスト送信と送信の第１のセットとがコンカレントに受信されることをブラインド検出することを含む。いくつかの例では、ブロック１８１５の動作は、図８および図９を参照しながら説明されたように、制御ベース受信コンポーネントによって実行され得る。
【０１６７】
[00180]ブロック１８２０において、ＵＥ１１５は、図２〜図６を参照しながら上記で説明されたように、ユニキャスト送信が送信の第１のセットとコンカレントに送信されるように構成されると決定し得る。いくつかの例では、ブロック１８２０の動作は、図８および図９を参照しながら説明されたように、ユニキャスト送信コンポーネントによって実行され得る。
【０１６８】
[00181]ブロック１８２５において、ＵＥ１１５は、図２〜図６を参照しながら上記で説明されたように、決定することに応答して、ワイヤレスリソースの第１のセットを使用して、送信の第１のセットを受信し得、ここで、ワイヤレスリソースの第１のセットは第１のＴＴＩ持続時間を用いて構成される。いくつかの例では、ブロック１８２５の動作は、図８および図９を参照しながら説明されたような制御ベース受信コンポーネントによって実行され得、それは、図７または図８を参照しながら説明されたような受信機７０５または受信機８０５、あるいは図１０を参照しながら説明されたような（１つまたは複数の）アンテナ１０３０および（１つまたは複数の）トランシーバ１０２５と協働して動作し得る。
【０１６９】
[00182]ブロック１８３０において、ＵＥ１１５は、図２〜図６を参照しながら上記で説明されたように、ユニキャスト送信と送信の第１のセットとがコンカレントに受信されることをブラインド検出することによって、送信の第１のセットがユニキャスト送信とコンカレントに第１のＵＥにおいて受信されるかどうかを決定し得る。いくつかの例では、ブロック１８３０の動作は、図８および図９を参照しながら説明されたように、ユニキャスト送信コンポーネントによって実行され得る。
【０１７０】
[00183]図１９は、本開示の態様による、低レイテンシＰＴＭ通信のための方法１９００を示すフローチャートを示す。方法１９００の動作は、図１、図２、図６、および図１１〜図１４を参照しながら説明されたように、基地局１０５などのデバイスまたはそれのコンポーネントによって実装され得る。たとえば、方法１９００の動作は、本明細書で説明されるように、基地局低レイテンシ通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能態様を実行し得る。
【０１７１】
[00184]ブロック１９０５において、基地局１０５は、図２〜図６を参照しながら上記で説明されたように、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの例では、ブロック１９０５の動作は、図１２および図１３を参照しながら説明されたように、ＴＴＩ識別コンポーネントによって実行され得る。
【０１７２】
[00185]ブロック１９１０において、基地局１０５は、図２〜図６を参照しながら上記で説明されたように、第１のＵＥと第２のＵＥとが送信の第１のセットを受信するべきであると決定し得る。いくつかの例では、ブロック１９１０の動作は、図１２および図１３を参照しながら説明されたように、ＵＥ決定コンポーネントによって実行され得る。
【０１７３】
[00186]ブロック１９１５において、基地局１０５は、図２〜図６を参照しながら上記で説明されたように、第１のＴＴＩ持続時間を用いて構成されるワイヤレスリソースの第１のセットを使用して、送信の第１のセットを第１のＵＥと第２のＵＥとに送信し得る。いくつかの例では、ブロック１９１５の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１７４】
[00187]ブロック１９２０において、基地局１０５は、図２〜図６を参照しながら上記で説明されたように、第２のＴＴＩ持続時間を用いて構成されるワイヤレスリソースの第２のセットを使用して、送信の第２のセットを送信し得る。いくつかの例では、ブロック１９２０の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１７５】
[00188]図２０は、本開示の態様による、低レイテンシＰＴＭ通信のための方法２０００を示すフローチャートを示す。方法２０００の動作は、図１、図２、図６、および図１１〜図１４を参照しながら説明されたように、基地局１０５などのデバイスまたはそれのコンポーネントによって実装され得る。たとえば、方法２０００の動作は、本明細書で説明されるように、基地局低レイテンシ通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能態様を実行し得る。
【０１７６】
[00189]ブロック２００５において、基地局１０５は、図２〜図６を参照しながら上記で説明されたように、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの例では、ブロック２００５の動作は、図１２および図１３を参照しながら説明されたように、ＴＴＩ識別コンポーネントによって実行され得る。
【０１７７】
[00190]ブロック２０１０において、基地局１０５は、図２〜図６を参照しながら上記で説明されたように、第１のＵＥと第２のＵＥとが送信の第１のセットを受信するべきであると決定し得る。いくつかの例では、ブロック２０１０の動作は、図１２および図１３を参照しながら説明されたように、ＵＥ決定コンポーネントによって実行され得る。
【０１７８】
[00191]ブロック２０１５において、基地局１０５は、図２〜図６を参照しながら上記で説明されたように、送信の第１のセットのためにワイヤレスリソースの第１のセットを割り振り得る。いくつかの例では、ブロック２０１５の動作は、図１２および図１３を参照しながら説明されたように、リソース割振りコンポーネントによって実行され得る。
【０１７９】
[00192]ブロック２０２０において、基地局１０５は、図２〜図６を参照しながら上記で説明されたように、送信の第２のセットのためにワイヤレスリソースの第２のセットを割り振り得、ワイヤレスリソースの第１のセットは、ワイヤレスリソースの第２のセットのサブセットを含む。いくつかの例では、ブロック２０２０の動作は、図１２および図１３を参照しながら説明されたように、リソース割振りコンポーネントによって実行され得る。
【０１８０】
[00193]ブロック２０２５において、基地局１０５は、図２〜図６を参照しながら上記で説明されたように、第１の制御チャネル送信におけるワイヤレスリソースの第１のセットと、第２の制御チャネル送信におけるワイヤレスリソースの第２のセットとの割振りを、第１のＵＥと第２のＵＥとに送信し得る。いくつかの例では、ブロック２０２５の動作は、図１２および図１３を参照しながら説明されたようなリソース割振りコンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１８１】
[00194]ブロック２０３０において、基地局１０５は、図２〜図６を参照しながら上記で説明されたように、第１のＴＴＩ持続時間を用いて構成されるワイヤレスリソースの第１のセットを使用して、送信の第１のセットを第１のＵＥと第２のＵＥとに送信し得る。いくつかの例では、ブロック２０３０の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１８２】
[00195]ブロック２０３５において、基地局１０５は、図２〜図６を参照しながら上記で説明されたように、第２のＴＴＩ持続時間を用いて構成されるワイヤレスリソースの第２のセットを使用して、送信の第２のセットを送信し得る。いくつかの例では、ブロック２０３５の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１８３】
[00196]図２１は、本開示の態様による、低レイテンシＰＴＭ通信のための方法２１００を示すフローチャートを示す。方法２１００の動作は、図１、図２、図６、および図１１〜図１４を参照しながら説明されたように、基地局１０５などのデバイスまたはそれのコンポーネントによって実装され得る。たとえば、方法２１００の動作は、本明細書で説明されるように、基地局低レイテンシ通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能態様を実行し得る。
【０１８４】
[00197]ブロック２１０５において、基地局１０５は、図２〜図６を参照しながら上記で説明されたように、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの例では、ブロック２１０５の動作は、図１２および図１３を参照しながら説明されたように、ＴＴＩ識別コンポーネントによって実行され得る。
【０１８５】
[00198]ブロック２１１０において、基地局１０５は、図２〜図６を参照しながら上記で説明されたように、第１のＵＥと第２のＵＥとが送信の第１のセットを受信するべきであると決定し得る。いくつかの例では、ブロック２１１０の動作は、図１２および図１３を参照しながら説明されたように、ＵＥ決定コンポーネントによって実行され得る。
【０１８６】
[00199]ブロック２１１５において、基地局１０５は、図２〜図６を参照しながら上記で説明されたように、第１のグループ識別情報を用いて第１のＵＥと第２のＵＥとを構成し得る。いくつかの例では、ブロック２１１５の動作は、図１２および図１３を参照しながら説明されたように、ＵＥグルーピングコンポーネントによって実行され得る。
【０１８７】
[00200]ブロック２１２０において、基地局１０５は、図２〜図６を参照しながら上記で説明されたように、第１のＴＴＩ持続時間を用いて構成されるワイヤレスリソースの第１のセットを使用して、送信の第１のセットを第１のＵＥと第２のＵＥとに送信し得る。いくつかの例では、ブロック２１２０の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１８８】
[00201]ブロック２１２５において、基地局１０５は、図２〜図６を参照しながら上記で説明されたように、第２のＴＴＩ持続時間を用いて構成されるワイヤレスリソースの第２のセットを使用して、送信の第２のセットを送信し得る。いくつかの例では、ブロック２１２５の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１８９】
[00202]ブロック２１３０において、第１のグループ識別情報が第１のブロードキャストサービスに関連するとき、基地局１０５は、図２〜図６を参照しながら上記で説明されたように、第２のサービスに関連する第２のグループ識別情報を用いて第１のＵＥと少なくとも１つの他のＵＥとを構成し得る。いくつかの例では、ブロック２１３０の動作は、図１２および図１３を参照しながら説明されたように、ＵＥグルーピングコンポーネントによって実行され得る。
【０１９０】
[00203]ブロック２１３５において、基地局１０５は、図２〜図６を参照しながら上記で説明されたように、第２のサービスの送信の第３のセットを第１のＵＥと少なくとも１つの他のＵＥとに送信し得る。いくつかの例では、ブロック２１３５の動作は、図１２および図１３を参照しながら説明されたようなＵＥグルーピングコンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１９１】
[00204]図２２は、本開示の態様による、低レイテンシＰＴＭ通信のための方法２２００を示すフローチャートを示す。方法２２００の動作は、図１、図２、図６および図１１〜図１４を参照しながら説明されたように、基地局１０５などのデバイスまたはそれのコンポーネントによって実装され得る。たとえば、方法２２００の動作は、本明細書で説明されるように、基地局低レイテンシ通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能態様を実行し得る。
【０１９２】
[00205]ブロック２２０５において、基地局１０５は、図２〜図６を参照しながら上記で説明されたように、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの例では、ブロック２２０５の動作は、図１２および図１３を参照しながら説明されたように、ＴＴＩ識別コンポーネントによって実行され得る。
【０１９３】
[00206]ブロック２２１０において、基地局１０５は、図２〜図６を参照しながら上記で説明されたように、第１のＵＥと第２のＵＥとが送信の第１のセットを受信するべきであると決定し得る。いくつかの例では、ブロック２２１０の動作は、図１２および図１３を参照しながら説明されたように、ＵＥ決定コンポーネントによって実行され得る。
【０１９４】
[00207]ブロック２２１５において、基地局１０５は、図２〜図６を参照しながら上記で説明されたように、第１のＴＴＩ持続時間を用いて構成されるワイヤレスリソースの第１のセットを使用して、送信の第１のセットを第１のＵＥと第２のＵＥとに送信し得る。いくつかの例では、ブロック２２１５の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１９５】
[00208]ブロック２２２０において、基地局１０５は、図２〜図６を参照しながら上記で説明されたように、第２のＴＴＩ持続時間を用いて構成されるワイヤレスリソースの第２のセットを使用して、送信の第２のセットを送信し得る。いくつかの例では、ブロック２２２０の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１９６】
[00209]ブロック２２２５において、基地局１０５は、図２〜図６を参照しながら上記で説明されたように、１つまたは複数の第１のＴＴＩ  ＤＲＸパラメータを１つまたは複数の第２のＴＴＩ  ＤＲＸパラメータとは別々に構成し得る。いくつかの例では、ブロック２２２５の動作は、図１２および図１３を参照しながら説明されたように、ＤＲＸコンポーネントによって実行され得る。
【０１９７】
[00210]ブロック２２３０において、基地局１０５は、図２〜図６を参照しながら上記で説明されたように、１つまたは複数の第１のＴＴＩ  ＤＲＸパラメータと１つまたは複数の第２のＴＴＩ  ＤＲＸパラメータとを第１のＵＥと第２のＵＥとに送信し得る。いくつかの例では、ブロック２２３０の動作は、図１２および図１３を参照しながら説明されたようなＤＲＸコンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０１９８】
[00211]図２３は、本開示の態様による、低レイテンシＰＴＭ通信のための方法２３００を示すフローチャートを示す。方法２３００の動作は、図１、図２、図６、および図１１〜図１４を参照しながら説明されたように、基地局１０５などのデバイスまたはそれのコンポーネントによって実装され得る。たとえば、方法２３００の動作は、本明細書で説明されるように、基地局低レイテンシ通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能態様を実行し得る。
【０１９９】
[00212]ブロック２３０５において、基地局１０５は、図２〜図６を参照しながら上記で説明されたように、送信の第１のセットを少なくとも第１のＵＥと第２のＵＥとに送信するための第１のＴＴＩ持続時間と、送信の第２のセットを１つまたは複数のＵＥに送信するための第２のＴＴＩ持続時間とを識別し得、ここで、第２のＴＴＩ持続時間は第１のＴＴＩ持続時間よりも長い。いくつかの例では、ブロック２３０５の動作は、図１２および図１３を参照しながら説明されたように、ＴＴＩ識別コンポーネントによって実行され得る。
【０２００】
[00213]ブロック２３１０において、基地局１０５は、図２〜図６を参照しながら上記で説明されたように、第１のＵＥと第２のＵＥとが送信の第１のセットを受信するべきであると決定し得る。いくつかの例では、ブロック２３１０の動作は、図１２および図１３を参照しながら説明されたように、ＵＥ決定コンポーネントによって実行され得る。
【０２０１】
[00214]ブロック２３１５において、基地局１０５は、図２〜図６を参照しながら上記で説明されたように、ユニキャスト送信が送信の第１のセットの送信とコンカレントに送信されるべきであると決定し得る。いくつかの例では、ブロック２３１５の動作は、図１２および図１３を参照しながら説明されたように、ユニキャストコンポーネントによって実行され得る。
【０２０２】
[00215]ブロック２３２０において、基地局１０５は、図２〜図６を参照しながら上記で説明されたように、送信の第１のセットをユニキャスト送信よりも優先し得る。いくつかの例では、ブロック２３２０の動作は、図１２および図１３を参照しながら説明されたように、ユニキャストコンポーネントによって実行され得る。
【０２０３】
[00216]ブロック２３２５において、基地局１０５は、図２〜図６を参照しながら上記で説明されたように、第１のＴＴＩ持続時間を用いて構成されるワイヤレスリソースの第１のセットを使用して、送信の第１のセットを第１のＵＥと第２のＵＥとに送信し得る。いくつかの例では、ブロック２３２５の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０２０４】
[00217]ブロック２３３０において、基地局１０５は、図２〜図６を参照しながら上記で説明されたように、第２のＴＴＩ持続時間を用いて構成されるワイヤレスリソースの第２のセットを使用して、送信の第２のセットを送信し得る。いくつかの例では、ブロック２３３０の動作は、図１２および図１３を参照しながら説明されたような送信構成コンポーネントによって実行され得、それは、図１１または図１２を参照しながら説明されたような送信機１１１０または送信機１２３０、あるいは図１４を参照しながら説明されたような（１つまたは複数の）アンテナ１４３０および（１つまたは複数の）トランシーバ１４２５と協働して動作し得る。
【０２０５】
[00218]これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。たとえば、方法の各々の態様は、他の方法のステップまたは態様、あるいは本明細書で説明される他のステップまたは技法を含み得る。したがって、本開示の態様は、低レイテンシポイントツーマルチポイント通信を与え得る。
【０２０６】
[00219]本明細書の説明は、当業者が本開示を作成または使用することができるように与えられる。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【０２０７】
[00220]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴は、機能の部分が、異なる物理的ロケーションにおいて実装されるように分配されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、コンポーネントＡ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、項目の列挙「のうちの少なくとも１つ」を指す句が、単一のメンバーを含む、それらの項目の任意の組合せを指すような包括的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素をもつ任意の組合せ（たとえば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）をカバーするものとする。
【０２０８】
[00221]本明細書で使用される「に基づいて」という句は、条件の閉集合への参照として解釈されないものとする。たとえば、「条件Ａに基づいて」と記述された例示的な特徴は、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０２０９】
[00222]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【０２１０】
[00223]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、米国電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションズシステム（ＵＭＴＳ：Universal Mobile Telecommunications System）の一部である。３ＧＰＰ（登録商標）  ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可または共有帯域幅を介したセルラー（たとえば、ＬＴＥ）通信を含む、上述のシステムおよび無線技術、ならびに他のシステムおよび無線技術のために使用され得る。ただし、本開示で説明された特徴は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２１１】
[00224]本明細書で説明されたネットワークを含む、ＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る。
【０２１２】
[00225]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロまたはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。いくつかの場合には、異なるカバレージエリアは異なる通信技術に関連し得る。いくつかの場合には、ある通信技術のためのカバレージエリアは、別の技術に関連するカバレージエリアと重複し得る。異なる技術が、同じ基地局に、または異なる基地局に関連し得る。
【０２１３】
[00226]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０２１４】
[00227]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的にアラインされ得る。非同期動作の場合、基地局は異なるフレームタイミングを有し得、異なる基地局からの送信は時間的にアラインされないことがある。本明細書で説明された技法は、同期動作または非同期動作のいずれかのために使用され得る。
【０２１５】
[00228]本明細書で説明されたＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対（paired）スペクトルリソースを使用して）または時分割複信（ＴＤＤ）動作を使用して（たとえば、不対（unpaired）スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０２１６】
[00229]したがって、本開示の態様は、低レイテンシポイントツーマルチポイント通信を与え得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０２１７】
[00230]本明細書の開示に関して説明された様々な例示的なブロックおよびコンポーネントは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。したがって、本明細書で説明された機能は、１つまたは複数の他の処理ユニット（またはコア）によって、少なくとも１つの集積回路（ＩＣ）上で実行され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０２１８】
[00231]当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2019511869.tif 000003
【図２】
2019511869.tif 000004
【図３】
2019511869.tif 000005
【図４】
2019511869.tif 000006
【図５Ａ】
2019511869.tif 000007
【図５Ｂ】
2019511869.tif 000008
【図６】
2019511869.tif 000009
【図７】
2019511869.tif 000010
【図８】
2019511869.tif 000011
【図９】
2019511869.tif 000012
【図１０】
2019511869.tif 000013
【図１１】
2019511869.tif 000014
【図１２】
2019511869.tif 000015
【図１３】
2019511869.tif 000016
【図１４】
2019511869.tif 000017
【図１５】
2019511869.tif 000018
【図１６】
2019511869.tif 000019
【図１７】
2019511869.tif 000020
【図１８】
2019511869.tif 000021
【図１９】
2019511869.tif 000022
【図２０】
2019511869.tif 000023
【図２１】
2019511869.tif 000024
【図２２】
2019511869.tif 000025
【図２３】
2019511869.tif 000026
【国際調査報告】
2019511869.tif 000027
2019511869.tif 000028